(57)【要約】【課題】カメラ付き携帯電話機のサブディスプレイ面に複数の操作手段を設けることにより、携帯電話機を開かなくとも折り畳んだ状態で各種設定・切換や調整が可能であり、操作性および利便性が向上した携帯電話機を提供する。【解決手段】携帯電話機は、折り畳まれた状態で第２の筐体３と対面する第１の筐体２の面に第１表示手段５と、第１の筐体２の第１表示手段５の背面に、第２表示手段２０と、撮像手段２１と、複数の操作手段２３、２４ａ、２４ｂとを備える。【選択図】図３
2006295960.tif 000002
【特許請求の範囲】
【請求項１】
携帯電話機であって、
第１の筐体と、
第２の筐体と、
前記第１の筐体および前記第２の筐体を接続するための連結部とを備え、
前記第１の筐体と前記第２の筐体とは、前記連結部によって折り畳み可能に構成され、
折り畳まれた状態で前記第２の筐体と対面する前記第１の筐体の面に配置される第１表示手段と、
前記第１の筐体の前記第１表示手段の背面に配置され、前記携帯電話機が折り畳まれた状態で撮影可能な撮像手段と、
前記背面に配置され、折り畳まれた状態で、前記連結部の位置が上になるように画像を表示する第２表示手段と、
音声データを格納する音声データ記憶手段と、
前記音声データに基づいて音声を再生する音声再生手段と、
前記携帯電話機を折り畳んだ状態で使用される複数の第１の操作手段と、
前記背面に配置され、前記携帯電話機を折り畳んだ状態で使用される複数の第２の操作手段とを備え、
前記携帯電話機の動作モードは、第１のモードと第２のモードとを含み、
前記第１のモード時に、前記撮像手段は、前記携帯電話機が開かれた状態および折り畳まれた状態で撮影可能であり、各前記第１の操作手段は、前記撮像手段による撮影を調整するための機能に割り当てられ、折り畳まれた状態では、前記第２表示手段は、前記撮像手段により撮影された画像を表示し、
前記第２のモード時に、折り畳まれた状態で、各前記第２の操作手段は、前記音声データ記憶手段に格納されている音声データに基づいて音声を再生する、携帯電話機。
【請求項２】
前記第１の操作手段または前記第２の操作手段は、前記第２表示手段に画像を表示する指示を受け付ける操作ボタンである、請求項１に記載の携帯電話機。
【請求項３】
前記第１のモード時に、前記第１の操作手段または前記第２の操作手段は、撮影時のズーム調整の操作を受け付ける、請求項１に記載の携帯電話機。
【請求項４】
前記第１のモード時に、前記第１の操作手段または前記第２の操作手段は、撮影画像の輝度調整の操作を受け付ける、請求項１に記載の携帯電話機。
【請求項５】
前記撮像手段と同一面に、発光する照明手段をさらに備え、
前記第１のモード時に、前記操作手段が短押しされると、前記照明手段は、前記操作手段が押下された間発光し、前記第１の操作手段または前記第２の操作手段が予め決められた時間よりも長く連続押下されると、前記照明手段は、常時点灯に切り替わる、請求項１に記載の携帯電話機。
【請求項６】
前記撮像手段と同一面に、複数の発光色に変更可能な照明手段をさらに備え、
前記第１のモード時に、前記第１の操作手段または前記第２の操作手段が短押しされると、前記発光色が切り替わり、前記第１の操作手段または第２操作手段が予め決められた時間よりも長く連続押下されると、前記照明手段は、常時点灯に切り替わる、請求項１に記載の携帯電話機。
【請求項７】
発光する照明手段と、
前記照明手段により発せられる光の光量を調整する照明光量調整手段とをさらに備え、
前記第１のモード時に、前記第１の操作手段または前記第２の操作手段は、前記照明手段の光量調整に関する操作を受け付ける、請求項１に記載の携帯電話機。
【請求項８】
複数色の発光素子を有する照明手段と、
発光する前記発光素子を変更する発光色変更手段とをさらに備え、
前記第１のモード時に、前記第１の操作手段または前記第２の操作手段は、前記発光素子の変更に関する操作を受け付ける、請求項１に記載の携帯電話機。
【請求項９】
電話着信履歴を記憶する電話着信履歴記憶手段をさらに備え、
前記携帯電話機の動作モードは、第３のモードをさらに含み、
前記第３のモード時に、前記第１の操作手段または前記第２の操作手段は、前記第２表示手段に表示された電話着信を別の電話着信に切り替える操作を受け付ける、請求項１に記載の携帯電話機。
【請求項１０】
前記携帯電話機の動作モードは、第３のモードをさらに含み、
前記第３のモード時に、前記第２表示手段は、受信されたメール内容を表示し、前記第１の操作手段または前記第２の操作手段は、他の受信メール内容に表示を切り替える操作を受け付ける、請求項１に記載の携帯電話機。
【請求項１１】
テレビジョン放送波を受信するアンテナと、
テレビジョンチューナと、
前記テレビジョンチューナによって選局された信号を処理するテレビジョン信号処理手段とをさらに備え、
前記携帯電話機の動作モードは、第３のモードをさらに含み、
前記第３のモード時に、前記第２表示手段は、前記テレビジョン信号処理手段で信号処理された映像信号に基づく映像を表示し、前記第１の操作手段または前記第２の操作手段は、テレビジョン放送波の受信周波数を変更するチャンネル切り替え操作を受け付ける、請求項１に記載の携帯電話機。
【請求項１２】
スピーカをさらに備え、
前記携帯電話機の動作モードは、第３のモードをさらに含み、
前記第３のモード時に、前記第１の操作手段または前記第２の操作手段は、前記スピーカの音量を調整する操作を受け付ける、請求項１に記載の携帯電話機。
【請求項１３】
前記第２表示手段は、前記携帯電話機のユーザによって変更される調整量を視覚的に表示する、請求項１〜１２のいずれかに記載の携帯電話機。
【請求項１４】
前記撮像手段と前記第２表示手段と前記第１の操作手段とは、前記第１の筐体の前記第１表示手段の背面に、前記連結部側から、前記撮像手段、前記第２表示手段、前記第１操作手段の順に配置されている、請求項１〜１１のいずれかに記載の携帯電話機。
【請求項１５】
前記撮像手段と前記第２表示手段と前記第２の操作手段とは、前記第１の筐体の前記第１表示手段の背面に、前記連結部側から、前記撮像手段、前記第２表示手段、前記第２操作手段の順に配置されている、請求項１〜１１のいずれかに記載の携帯電話機。
【発明の詳細な説明】
【技術分野】
【０００１】
この発明は撮影機能を有した携帯電話機に関する。
【背景技術】
【０００２】
近年、携帯電話機が広く普及しているが、その形状としてはストレートタイプ、フリップタイプ、クラムシェルタイプの３種類に大きく分類される。中でもクラムシェルタイプは折り畳むことによる小型化ができるため、他の２つのタイプよりニーズが高い。
【０００３】
また、最近では液晶ディスプレイの背面に液晶サブディスプレイを備えたものやカメラ機能を備えた携帯電話機が提案されている。
【０００４】
図１７は、従来のクラムシェルタイプのカメラ付携帯電話機１００（機種名ＳＨ２５１ｉ、シャープ株式会社製造、２００２年６月１日発売）を開いた状態での外観を示す斜視図である。携帯電話機１００は第１の筐体１０１と第２の筐体１０２からなり、第１の筐体１０１と第２の筐体１０２は、ヒンジ１０３を介して連結され、ヒンジ１０３を軸として角変位自在に動くことで折り畳み可能に構成されている。図１７に示すように携帯電話機１００は第１の筐体１０１には第１表示部１０４を備える。第１表示部１０４は携帯電話機１００が折り畳まれた時に内側に位置するように配置されている。第１表示部１０４（メインディスプレイ）は液晶ディスプレイやＥＬディスプレイなどで実現され、筐体内に設けられた第１表示ドライバ部を介して送られてくる画像データに基づく画像を表示する。第１の筐体１０１の背面にはアンテナ部１０５と上下可能なヘリカル部１０６を備え、第１の筐体１０１の側面には、カメラ機能の第２のシャッタボタン１０７を備える。また、第１表示部１０４の上部には通話時に使用する第１のスピーカ１０８を備える。
【０００５】
開閉検出部１０９は、携帯電話機１００が折り畳まれているか否かを検出する検出手段である。第１の筐体１０１下部のヒンジ１０３の近傍には小さな突起１０９ａが形成されており、第２の筐体１０２上部のヒンジ１０３近傍には小さな孔１０９ｂが形成されている。孔１０９ｂの内部には図示しない検出スイッチが設けられており、開閉検出部１０９は、突起１０９ａ、孔１０９ｂおよびスイッチから構成される。携帯電話機１００が折り畳まれると、第１の筐体１０１の突起１０９ａが第２の筐体１０２の孔１０９ｂに入り、図示しない検出スイッチが働き、筐体内に設けられた制御部によって携帯電話機１００が折り畳まれていることを判断する。
【０００６】
次に従来の携帯電話機１００の第２の筐体１０２について説明する。入力ボタン部１１０は、数字および文字を入力するためのキーなどから構成される。機能ボタン部１１１は携帯電話機における各種設定／機能切替を行うためのボタン群であり、電源のＯＮ／ＯＦＦ切替を行う電源ボタン１１２、後述するカメラ機能の第１のシャッタボタン１１３、メール機能とガイダンス表示を行うメール／ガイダンス用ボタン１１４、通話開始とスピーカ受話を行う開始／スピーカ受話ボタン１１５、機能選択画面での上下左右選択と決定を行う４方向ボタンと決定ボタンで構成されたマルチガイドボタン１１６から構成される。また、第２の筐体１０２の下部には送話マイク１１７を備えている。
【０００７】
一般的な携帯電話機の第２の筐体１０２の配置構成としては、ヒンジ１０３、機能ボタン群１１１、入力ボタン群１１０、送話マイク１１７の順番に配置するのが普通である。
【０００８】
図１８は、図１７に示された携帯電話機１００を背面側からの外観を示す斜視図である。図１９は、携帯電話機１００を折り畳んだ状態での外観斜視図を示し、図２０は、同じく携帯電話機１００を折り畳んだ状態での外観側面図である。第１の筐体１０１の背面は、第２表示部１２０、カメラ部１２１、ライト部１２２、既に説明したアンテナ部１０５から構成される。
【０００９】
第２表示部１２０は携帯電話機１００が折り畳まれた時に外側に位置するように配置されている。第２表示部１２０（サブディスプレイ）は液晶ディスプレイやＥＬディスプレイなどで実現され、筐体内に設けられた第２表示ドライバ部を介して送られてくる画像データに基づく画像を表示する。
【００１０】
カメラ部１２１は撮像レンズとＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子とＲＧＢの３色のカラーフィルタとを備える。カメラ部２は被写体で反射されて撮像レンズに入射した光を、カラーフィルタを通してＲＧＢの３色光にし、ＲＧＢの３色光をそれぞれ前記撮像素子に変換する。図１８に示すようにカメラ部１２１は携帯電話機１００が折り畳まれた時に外側に位置するように設けられている。
【００１１】
ライト部１２２は、カメラ部１２１で撮像する際の補助光源として使われる。一般的に、キセノン管を用いるものが多いが、最近ではＲＧＢのＬＥＤを同時発光させて、白色光を発光させて補助光源に用いるものもある。
【００１２】
第２の筐体の背面は、バッテリを格納するバッテリ部１２３と着信音を鳴らす第２のスピーカ１２４を備えている。
【００１３】
従来の携帯電話機１００を用いてカメラ撮影を行う場合の利用方法について、図２１を用いて説明する。図２１（ａ）は撮影者が被写体を撮影する場合の一般的な利用方法を示す。携帯電話機１００を開き、カメラ部１２１を被写体に向け、撮影者は第１表示部１０４をファインダとして利用する。図２１（ｂ）は撮影者が撮影者自身を撮影する場合の一般的な利用方法を示す。この場合、撮影者は第２表示部１２０をファインダとして利用することにより、撮影画像を確認しながら撮影をすることが可能である。一般的な携帯電話機では、第２表示部１２０で表示する際には、画面確認時の違和感をなくすため、画像を左右反転させ、鏡のように表示することが多い。図２１（ａ）において、シャッタボタンは第１のシャッタボタン１１３または、第１の筐体１０１の側面に備えた第２のシャッタボタン１０７のいずれかを使用することが可能である。図２１（ｂ）では、携帯電話機１００を折り畳んだ状態で第２のシャッタボタン１０７を使用して撮影しているが、開いた状態でも撮影可能である。その場合は、第１の筐体１０１側面に配置された第２のシャッタボタン１０７を使用すればよい。
【発明の開示】
【発明が解決しようとする課題】
【００１４】
上記のような２つの表示手段を備えたクラムシェルタイプのカメラ付携帯電話機であっても、ユーザによる効果的なサブディスプレイの利用という課題が残されている。
【００１５】
クラムシェルタイプの携帯電話機の場合、折り畳んだ状態では、第１筐体１０１側面に設けられたシャッタボタン１０７以外にユーザの入力手段が無く、カメラモード時には、サブディスプレイ１２０を単なるファインダとして使うだけであった。また、待ち受けモード時には、サブディスプレイ１２０に待ち受け画像や時計、メール着信等が表示されるが、予め携帯電話機を開いた状態でユーザが設定したものを自動的に表示するだけであった。
【００１６】
従って、例えばカメラモード時において、カメラ部１２１横に設けたライト部１２２の光量を調整するためには、携帯電話機を開いてメインディスプレイ１０４に表示される調整量を確認しながら、第２筐体１０２のキー操作を行わなければならなかった。同様に待ち受け画像や時計表示の設定に関しても、携帯電話機を開いてメインディスプレイ１０４で確認しながら設定を行わなくてはならなかった。また、サブディスプレイ１２０にメールの着信表示があった場合においても、メールの内容を参照するためには、やはり携帯電話機を開いてメインディスプレイ１０４で確認しなければならなかった。このように折り畳んだ状態で外面にディスプレイがありながら、その表示操作をするためには、携帯電話機を開いて操作しなくてはならないという動作はユーザにとって煩わしいものである。
【００１７】
また、携帯電話機を折り畳んで利用する場合と携帯電話機を開いて利用する場合では、携帯電話機の本体側の向きが逆であり、例えばユーザが折り畳んで利用していた状態から、開いて利用する状態に変える時には、携帯電話機の向きを変えるために持ち替える必要があった。
【００１８】
それゆえに、この発明の目的はユーザがサブディスプレイを有効に使いやすく利用できる携帯電話機を提供することである。
【課題を解決するための手段】
【００１９】
第１の発明は、第１の筐体と、第２の筐体と、前記第１および第２の筐体を接続する連結部とを備えて、前記連結部によって前記第１の筐体と前記第２の筐体は折り畳み可能に構成される携帯電話機であって、折り畳まれた状態で前記第２の筐体と対面する前記第１の筐体の面に第１表示手段を備え、第１の筐体の第１表示手段の背面に第２表示手段と撮像手段と前記携帯電話機を折り畳んだ状態で使用される複数の操作手段とを備えたことを特徴とする携帯電話機である。
【００２０】
本発明に従えば、携帯電話機が折り畳まれた時に外側に第２表示手段と前記携帯電話機を折り畳んだ状態で使用される複数の操作手段がある。これによって、ユーザは折り畳んだ状態であっても撮影機能の切り替えや第２表示手段の表示切り替え等の複数の切り替えや各種調整量の変更等を行うことができる。
【００２１】
このように、ユーザは携帯電話機を開かなくても前記携帯電話機を折り畳んだ状態で使用される複数の操作手段を操作することにより、カメラ起動、ライト点灯やピクト表示切替等の複数の機能切り替えやライト光量や明るさ調整等の調整量の変更が可能になる。従って、閉じた状態で携帯電話機を使用する場合に、切り替えや調整量の変更に際し、携帯電話機を開く必要がなくなり、操作性および利便性が向上する。
【００２２】
また、第２の発明は、第１の発明において、前記撮像手段で撮影した撮影画像を表示することを特徴とする携帯電話機である。
【００２３】
本発明に従えば、撮影手段で撮影した画像を第２表示手段で表示することができることから、上記操作手段を操作することにより、撮影条件の調整や撮影画像の加工を行うことができる。従って、携帯電話機を開かなくても折り畳んだ状態で撮影条件の調整や撮影画像の加工をすることができ、操作性および利便性が向上する。
【００２４】
また、第３の発明は、第１〜２の発明において、前記操作手段の１つがシャッタボタンであることを特徴とする携帯電話機である。
【００２５】
本発明に従えば、前記操作手段の１つがシャッタボタンであることから、前記シャッタボタンを操作することにより、撮影操作を行うことができる。従って、携帯電話機を開かなくても折り畳んだ状態で撮影することができ、操作性および利便性が向上する。
【００２６】
また、第４の発明は、第１〜２の発明において、前記操作手段は撮影条件を調整する調整ボタンであることを特徴とする携帯電話機である。
【００２７】
本発明に従えば、前記操作手段は撮影条件を調整する調整ボタンであることから、前記操作手段を操作することにより、撮影条件を調整することができる。従って、携帯電話機を開かなくても折り畳んだ状態で撮影条件を調整することができ、操作性および利便性が向上する。
【００２８】
また、第５の発明は、第１〜２の発明において、前記操作手段は前記第２表示手段の表示を操作する操作ボタンであることを特徴とする携帯電話機である。
【００２９】
本発明に従えば、前記操作手段は前記第２表示手段の表示を操作する操作ボタンであることから、前記操作手段を操作することにより、前記第２表示手段の表示を操作することができる。従って、携帯電話機を開かなくても折り畳んだ状態で前記第２表示手段の表示を操作することができ、操作性および利便性が向上する。
【００３０】
また、第６の発明は、第４〜５の発明において、前記操作手段は前記調整ボタンと前記操作ボタンを兼用することを特徴とする携帯電話機である。
【００３１】
本発明に従えば、前記操作手段は前記調整ボタンと前記操作ボタンを兼用することから、前記操作手段を操作することにより、撮影条件を調整と前記第２表示手段の表示を操作することができる。従って、携帯電話機の背面に撮影条件の調整を行う調整ボタンと前記第２表示手段の表示操作を行う操作ボタンとを個別に設けなくても兼用したボタンを設ければよい。
【００３２】
このように調整ボタンと操作ボタンとを兼用することにより、携帯電話機の小型化、部品点数の減少によるコストの低減が可能になる。また、調整ボタンも操作ボタンも一般的に＋ボタン（送りボタン）と−ボタン（戻りボタン）として使われることが多く、操作も似ていることから、ボタンを兼用した方がユーザも使いやすく、操作性および利便性が向上する。
【００３３】
また、第７の発明は、第１〜２の発明において、前記撮像手段と同一面に照明手段を備え、前記操作手段を短押しすると押下した間だけ発光し、前記操作手段をあらかじめ決められた時間よりも長く連続押下すると常時点灯に切り替わることを特徴とする携帯電話機である。
【００３４】
本発明に従えば、前記操作手段を短押しすると押下した間だけ発光し、長く連続押下すると常時点灯に切り替わる。従って、前記操作手段を短押しするか長押しするかによって、照明手段の発光状態を使い分けることができ、操作性および利便性が向上する。また、短押しと長押しで制御を切り替えることにより、操作ボタン数を増やさずに複数の制御が可能になり、携帯電話機の大型化、部品点数の増加によるコストの増大を抑制することが可能になる。
【００３５】
また、第８の発明は、第１〜２の発明において、前記撮像手段と同一面に複数の発光色に変更可能な照明手段を備え、前記操作手段を短押しすると発光色が切り替わり、前記操作手段をあらかじめ決められた時間よりも長く連続押下すると常時点灯に切り替わることを特徴とする携帯電話機である。
【００３６】
本発明に従えば、前記操作手段を短押しすると発光色が切り替わり、長押しすると常時点灯に切り替わる。従って、前記操作手段を短押しするか長押しするかによって、照明手段の発光色と照明手段のＯＮ／ＯＦＦ切替を使い分けることができ、操作性および利便性が向上する。また、短押しと長押しで制御を切り替えることにより、操作ボタン数を増やさずに複数の制御が可能になり、携帯電話機の大型化、部品点数の増加によるコストの増大を抑制することが可能になる。
【００３７】
また、第９の発明は、第１〜２の発明において、照明手段と、照明光量調整手段を備え、前記操作手段は前記照明手段の光量調整を行う光量調整ボタンであることを特徴とする携帯電話機である。
【００３８】
本発明に従えば、前記操作手段は前記照明手段の光量調整を行う光量調整ボタンであることから、光量調整ボタンを操作することにより、光量を調整することができる。従って、携帯電話機を開かなくても折り畳んだ状態で照明手段の光量調整を行うことができ、操作性および利便性が向上する。
【００３９】
また、第１０の発明は、第１〜２の発明において、複数色のＬＥＤから構成された照明手段と、前記照明手段の発光するＬＥＤを変更する発光色変更手段を備え、前記操作手段は前記照明手段の発光色を変更する発光色変更ボタンであることを特徴とする携帯電話機である。
【００４０】
本発明に従えば、前記操作手段は前記照明手段の発光色を変更する発光色変更ボタンであることから、発光色変更ボタンを操作することにより、発光色を変更することができる。従って、携帯電話機を開かなくても折り畳んだ状態で照明手段の発光色変更を行うことができ、操作性および利便性が向上する。
【００４１】
また、第１１の発明は、第１〜２の発明において、電話着信履歴を記憶する電話着信履歴記憶手段を備え、前記第２表示手段に表示された電話着信履歴を前記操作手段によって別の電話着信履歴に切り替えることを特徴とする携帯電話機である。
【００４２】
本発明に従えば、前記第２表示手段に表示された電話着信履歴を前記操作手段によって別の電話着信履歴に切り替えることができる。従って、携帯電話機を開かなくても折り畳んだ状態で第２表示手段に表示される着信履歴を切り替えることができ、操作性および利便性が向上する。
【００４３】
また、第１２の発明は、第１〜２の発明において、受信したメール内容を第２表示手段に表示し、前記操作手段によって他の受信メール内容に表示を切り替えることを特徴とする携帯電話機である。
【００４４】
本発明に従えば、前記第２表示手段に表示された受信メール内容を前記操作手段によって別の受信メール内容に切り替えることができる。従って、携帯電話機を開かなくても折り畳んだ状態で第２表示手段に表示される受信メール内容を切り替えることができ、操作性および利便性が向上する。
【００４５】
また、第１３の発明は、第１〜２の発明において、テレビジョン放送波を受信するアンテナと、テレビジョンチューナとテレビジョン信号処理手段を備え、第２表示手段は前記テレビジョン信号処理手段で信号処理された映像信号を表示し、前記操作手段はテレビジョン放送波の受信周波数を変更するチャンネル切り替えボタンであることを特徴とする携帯電話機である。
【００４６】
本発明に従えば、第２表示手段は前記テレビジョン信号処理手段で信号処理された映像信号を表示し、前記操作手段はテレビジョン放送波の受信周波数を変更するチャンネル切り替えボタンである。従って、操作手段を操作することにより、受信チャンネルを切り替えることができる。
【００４７】
これによって、第２表示手段でテレビを視聴する場合においても、チャンネル変更の際に携帯電話機を開いて数字ボタン等で操作しなくても折り畳んだ状態でチャンネル変更が可能となることから、操作性および利便性が向上する。
【００４８】
また、第１４の発明は、第１〜２の発明において、音声データを保存する音声データ記憶手段と、音声データを再生する音声再生手段を備え、前記操作手段は前記音声データ記憶手段内の音声データを再生操作できることを特徴とする携帯電話機である。
【００４９】
本発明に従えば、前記操作手段は前記音声データ記憶手段内の音声データを再生操作できる。従って、携帯電話機を開かなくても折り畳んだ状態で音声データを再生操作することができる。
【００５０】
これによって、携帯電話機で音声データを聞く場合において、再生曲変更の際に携帯電話機を開いて数字ボタン等で操作しなくても折り畳んだ状態で再生曲変更が可能となることから、操作性および利便性が向上する。
【００５１】
また、第１５の発明は、第１〜２の発明において、スピーカを備え、前記操作手段はスピーカの音量を調整する音量ボタンであることを特徴とする携帯電話機である。
【００５２】
本発明に従えば、前記操作手段はスピーカの音量を調整する音量ボタンであることから、操作手段によってスピーカの音量を調整することができる。従って、携帯電話機を開かなくても折り畳んだ状態で音量調整を操作することができる。
【００５３】
これによって、携帯電話機で音声データを聞く場合において、音量変更の際に携帯電話機を開いて数字ボタン等で操作しなくても折り畳んだ状態で音量変更が可能となることから、操作性および利便性が向上する。
【００５４】
また、第１６の発明は、第１の筐体と、第２の筐体と、前記第１および第２の筐体を接続する連結部とを備えて、前記連結部によって前記第１の筐体と前記第２の筐体は折り畳み可能に構成される携帯電話機であって、折り畳まれた状態で前記第２の筐体と対面する前記第１の筐体の面に第１表示手段を備え、第１の筐体の第１表示手段の背面に第２表示手段と撮像手段と調整項目選択手段と調整量選択手段を備えたことを特徴とする携帯電話機である。
【００５５】
本発明に従えば、携帯電話機が折り畳まれた時に外側に第２表示手段と調整項目選択手段と調整量選択手段がある。これによって、ユーザは折り畳んだ状態であっても撮影機能の切り替えや第２表示手段の表示切り替え等の各種項目の切り替えと各種調整量の変更等を行うことができる。
【００５６】
このように、ユーザは携帯電話機を開かなくても調整項目選択手段を操作することにより、ライト光量や明るさ調整等の調整項目を選択し、調整量を変更することが可能になる。従って、閉じた状態で調整量の変更が可能な機能については、携帯電話機を開く必要がなくなり、操作性および利便性が向上する。
【００５７】
また、第１７の発明は、第１６の発明において、前記第２表示手段は、前記撮像手段で撮影した撮影画像を表示することを特徴とする請求項１６記載の携帯電話機である。
【００５８】
本発明に従えば、前記第２表示手段は、前記撮像手段で撮影した撮影画像を表示することから、携帯電話機で撮影した画像を第２表示手段で確認しながら各種調整を行うことができる。これによって、ユーザは折り畳んだ状態であっても、撮像手段で撮影した撮影画像に関して、各種調整項目の切り替えと調整量の変更や加工等を行うことができ、操作性および利便性が向上する。
【００５９】
また、第１８の発明は、第１の筐体と、第２の筐体と、前記第１および第２の筐体を接続する連結部とを備えて、前記連結部によって前記第１の筐体と前記第２の筐体は折り畳み可能に構成される携帯電話機であって、折り畳まれた状態で前記第２の筐体と対面する前記第１の筐体の面に第１表示手段を備え、第１の筐体の第１表示手段の背面に、受信したメールの内容を表示可能な第２表示手段と、撮像手段と、前記第２表示手段に表示されたメール内容を上下または左右にスクロール可能なスクロールボタンと、他のメール内容に表示を切り替える切り替えボタンを備えたことを特徴とする携帯電話機である。
【００６０】
本発明に従えば、第１の筐体の第１表示手段の背面に、受信したメールの内容を表示可能な第２表示手段と、撮像手段と、前記第２表示手段に表示されたメール内容を上下または左右にスクロール可能なスクロールボタンと、他のメール内容に表示を切り替える切り替えボタンを備える。これによって、ユーザは折り畳んだ状態であっても、第２表示手段にメールを表示させ、メールのスクロールと他のメールへの切り替えが可能になる。
【００６１】
これにより、メール本文を見る場合において、わざわざ携帯電話機を開いて第１表示部でメールを読み、数字ボタン等で読むメールを切り替えなくても、折り畳んだままの状態で、メールの確認／表示が可能であり、操作性および利便性が向上する。
【００６２】
また、第１９の発明は、第１の筐体と、第２の筐体と、前記第１および第２の筐体を接続する連結部とを備えて、前記連結部によって前記第１の筐体と前記第２の筐体は折り畳み可能に構成される携帯電話機であって、アンテナとテレビジョンチューナとテレビジョン信号処理手段と、折り畳まれた状態で前記第２の筐体と対面する前記第１の筐体の面に第１表示手段を備え、第１の筐体の第１表示手段の背面に、テレビジョン画像を表示可能な第２表示手段と、撮像手段と、前記第２表示手段に表示するテレビジョン信号波を変更するチャンネルボタンと、音量を調整する音量ボタンを備えたことを特徴とする携帯電話機である。
【００６３】
本発明に従えば、アンテナとテレビジョンチューナとテレビジョン信号処理手段と、第１の筐体の第１表示手段の背面に、テレビジョン画像を表示可能な第２表示手段と、撮像手段と、前記第２表示手段に表示するテレビジョン信号波を変更するチャンネルボタンと、音量を調整する音量ボタンを備える。従って、ユーザは折り畳んだ状態であっても、第２表示手段にてテレビジョン画像を表示し、チャンネルボタンと音量ボタンを用いて、チャンネルならびに音量の変更を操作することができ、操作性および利便性が向上する。
【００６４】
また、第２０の発明は、第１の筐体と、第２の筐体と、前記第１および第２の筐体を接続する連結部とを備えて、前記連結部によって前記第１の筐体と前記第２の筐体は折り畳み可能に構成される携帯電話機であって、音声データを記憶する音声データ記憶手段と音声データを再生する再生手段を備え、折り畳まれた状態で前記第２の筐体と対面する前記第１の筐体の面に第１表示手段を備え、第１の筐体の第１表示手段の背面に、第２表示手段と、撮像手段と、前記音声データの再生操作を行う再生操作手段と、音量を調整する音量ボタンを備えたことを特徴とする携帯電話機である。
【００６５】
本発明に従えば、音声データを記憶する音声データ記憶手段と音声データを再生する再生手段を備え、第１の筐体の第１表示手段の背面に、第２表示手段と、撮像手段と、前記音声データの再生操作を行う再生操作手段と、音量を調整する音量ボタンを備える。従って、ユーザは折り畳んだ状態であっても、再生操作手段と音量調整手段を操作することにより、音声データの再生／記録を操作することができ、操作性および利便性が向上する。
【００６６】
また、第２１の発明は、第１〜２０の携帯電話機において、前記第２表示手段は、ユーザによって変更される調整量を視覚的に表示することを特徴とする携帯電話機である。
【００６７】
本発明に従えば、前記第２表示手段は、ユーザによって変更される調整量を視覚的に表示する。従って、ユーザはわざわざ携帯電話機を開かなくても折り畳んだ状態で、第２表示手段にて表示される調整量を視覚的に確認しながら、各種の調整を行うことができ、操作性および利便性が向上する。
【００６８】
また、第２２の発明は、第１の筐体と、第２の筐体と、前記第１および第２の筐体を接続する連結部とを備えて、前記連結部によって前記第１の筐体と前記第２の筐体は折り畳み可能に構成される携帯電話機であって、折り畳まれた状態で前記第２の筐体と対面する前記第１の筐体の面に第１表示手段を備え、第１の筐体の第１表示手段の背面に第２表示手段と撮像手段と複数の操作手段を備え、カメラ撮影モードにおいて、前記複数の操作手段を用いて撮影条件を調整する調整モードを設けたことを特徴とする携帯電話機である。
【００６９】
本発明に従えば、カメラ撮影モードにおいて、前記複数の操作手段を用いて撮影条件を調整する調整モードを設ける。従って、ユーザは折り畳んだ状態で、カメラ撮影モードにおいて、第２表示部を見ながら、明るさ調整やライト光量／色の調整を操作することが可能になり、調整後の良好な状態で撮影を行うことができる。また、携帯電話機を折り畳んだままで操作できることから、操作性および利便性が向上する。
【００７０】
また、第２３の発明は、第１の筐体と、第２の筐体と、前記第１および第２の筐体を接続する連結部とを備えて、前記連結部によって前記第１の筐体と前記第２の筐体は折り畳み可能に構成される携帯電話機であって、折り畳まれた状態で前記第２の筐体と対面する前記第１の筐体の面に第１表示手段を備え、第１の筐体の第１表示手段の背面に第２表示手段と撮像手段と複数の操作手段を備え、カメラ撮影モードにおいて、前記複数の操作手段を用いて撮影した画像を保存する前に画像の加工を行う加工モードを設けたことを特徴とする携帯電話機である。
【００７１】
本発明に従えば、カメラ撮影モードにおいて、前記複数の操作手段を用いて撮影した画像を保存する前に画像の加工を行う加工モードを設ける。従って、ユーザは折り畳んだ状態であっても、カメラ撮影モードにおいて、第２表示部を見ながら、前記複数の操作手段を用いて撮影した画像を保存する前に画像の加工を行うことができ、操作性および利便性が向上する。
【００７２】
また、第２４の発明は、第３〜２３の発明の携帯電話機において、前記複数の操作手段は、第１決定ボタンと第２決定ボタンおよび第３決定ボタンからなることを特徴とする携帯電話機である。
【００７３】
本発明に従えば、前記複数の操作手段は、第１決定ボタンと第２決定ボタンおよび第３決定ボタンからなる。従って、３つのボタンを使用することによって、撮影機能の切り替えや第２表示手段の表示切り替え等の複数の切り替えや各種調整量の変更等を行うことができる。
【００７４】
また、第２５の発明は、第３〜２３の発明の携帯電話機において、前記複数の操作手段は、決定ボタンと右ボタンおよび左ボタンからなることを特徴とする携帯電話機である。
【００７５】
本発明に従えば、前記複数の操作手段は、決定ボタンと右ボタンおよび左ボタンからなる。従って、これらのボタンを使用することによって、撮影機能の切り替えや第２表示手段の表示切り替え等の複数の切り替えや各種調整量の変更等を行うことができる。
【００７６】
また、第２６の発明は、第３〜２３の発明の携帯電話機において、前記複数の操作手段は、第１決定ボタンと第２決定ボタンと第３決定ボタンと第４の決定ボタンおよび第５の決定ボタンからなることを特徴とする携帯電話機である。
【００７７】
本発明に従えば、前記複数の操作手段は、第１決定ボタンと第２決定ボタンと第３決定ボタンと第４の決定ボタンおよび第５の決定ボタンからなる。従って、５つのボタンを使用することによって、撮影機能の切り替えや第２表示手段の表示切り替え等の複数の切り替えや各種調整量の変更等を行うことができる。
【００７８】
また、第２７の発明は、第３〜２３の発明の携帯電話機において、前記複数の操作手段は、決定ボタンと上ボタンと下ボタンと右ボタンおよび左ボタンからなることを特徴とする携帯電話機である。
【００７９】
本発明に従えば、前記複数の操作手段は、決定ボタンと上ボタンと下ボタンと左ボタンおよび右ボタンからなる。従って、これらのボタンを使用することによって、撮影機能の切り替えや第２表示手段の表示切り替え等の複数の切り替えや各種調整量の変更等を行うことができる。
【００８０】
また、第２８の発明は、第３〜２３の発明の携帯電話機において、第１の筐体の第１表示手段の背面に、前記連結部側から前記撮像手段、前記第２表示手段、前記複数の操作手段の順に配置したことを特徴とする携帯電話機である。
【００８１】
本発明に従えば、撮像手段と各ボタンの間に第２表示手段が配置されることから撮像手段と各ボタンの間に一定の距離が確保できる。これによって、ユーザが撮影しようとする際にボタンを押すユーザの手が撮像手段に被さることを防ぐことができる。従って、ズーム操作等の撮影に関する各種設定時にユーザが撮像手段の位置を気にせずに各ボタンの操作ができることから、操作性および利便性が向上すると同時に、ユーザの指が撮像手段に触れて、レンズ等の部品に傷やゴミが付くことを防ぐことができ、結果として携帯電話機の耐久性の向上ならびに性能維持が図られる。
【００８２】
また、第２９の発明は、第１の筐体と、第２の筐体と、前記第１および第２の筐体を接続する連結部とを備えて、前記連結部によって前記第１の筐体と前記第２の筐体は折り畳み可能に構成される携帯電話機であって、折り畳まれた状態で前記第２の筐体と対面する前記第１の筐体の面に第１表示手段を備え、折り畳まれた状態で前記第１の筐体と対面する前記第２の筐体の面に複数の数字ボタンおよび操作ボタンを備え、第１の筐体の第１表示手段の背面に第２表示手段と撮像手段と複数の操作手段を備えたことを特徴とする携帯電話機である。
【００８３】
本発明に従えば、折り畳まれた状態で前記第１の筐体と対面する前記第２の筐体の面に複数の数字ボタンおよび操作ボタンを備え、第１の筐体の第１表示手段の背面に第２表示手段と撮像手段と複数の操作手段を備える。従って、携帯電話機を折り畳んだ時に、複数の数字ボタンおよび操作ボタンと複数の操作手段は、同じ方向を向くことになる。
【００８４】
このように、ユーザは携帯電話機本体を折り畳んで操作した後、そのまま開いた状態でもユーザ側に本体側のボタン面が向くことになり、携帯電話機を持ち替えずにスムーズに操作することができる。
【発明を実施するための最良の形態】
【００８５】
この発明の実施の形態について図面を参照し説明する。図１は本発明の実施の一形態であるクラムシェルタイプのカメラ付携帯電話機１を開いた状態での外観を示す斜視図である。携帯電話機１は第１の筐体２と第２の筐体３からなり、第１の筐体２と第２の筐体３はヒンジ４を介して連結される。第１の筐体２と第２の筐体３は、ヒンジ４を軸として角変位自在に動くことで図３のように折り畳み可能に構成されている。
【００８６】
図１を参照して、携帯電話機１は第１の筐体２には第１表示部５を備える。第１表示部５は携帯電話機１が折り畳まれた時に内側に位置するように配置されている。第１表示部５は液晶ディスプレイやＥＬ（Ｅｌｅｃｔｒｏ  Ｌｕｍｉｎｅｓｃｅｎｔ）ディスプレイなどで構成され、後述する第１表示ドライバ部４３を介して与えられる画像データに基づく画像を表示する。また、第１表示部５の上部には通話時などに使用する第１のスピーカ６を備える。
【００８７】
次に本発明の実施の一形態である携帯電話機１の第２の筐体３について説明する。第２の筐体３には、数字および文字を入力するためのキーなどから構成される入力ボタン群７、携帯電話機１における各種設定／機能切替を行うための機能ボタン群８、電源のＯＮ／ＯＦＦ切替を行う電源ボタン９、シャッタ機能を能動化するために操作される第１のシャッタボタン１０、メール機能とガイダンス表示を行うメール／ガイダンス用ボタン１１、通話開始とスピーカ受話を行う開始／スピーカ受話ボタン１２、および機能選択画面での上下左右選択と決定を行う４方向ボタンと決定ボタンで構成されたマルチガイドボタン１３が、ユーザの操作が可能なように備えられる。さらに、第２の筐体３は下部に通話用のマイク１４を備える。
【００８８】
携帯電話機１の第２の筐体３のこれらの配置は、ヒンジ４、機能ボタン群８、入力ボタン群７、送話マイク１４の順番に配置するのが普通であるが、これに限定されるものではない。
【００８９】
図２または図３に示すように、第１の筐体２の第１表示部５の背面は、ヒンジ４側から順番にカメラ部２１とライト部２２が並んで配置され、第２表示部２０、第２のシャッタボタン２３および第２の操作ボタン２４ａと２４ｂが続いて配置される。
【００９０】
第２表示部２０は携帯電話機１が折り畳まれた時に筐体の外側に位置するように配置されて、液晶ディスプレイやＥＬディスプレイなどで構成される。ここでは第２表示部２０の表示可能領域は第１表示部５よりも小さいとしているが、大きくてもよく、また同じ大きさであってもよい。第２表示部２０には後述する第２表示ドライバ部４４を介して与えられる撮影による画像データ、ならびに時刻、電波強度およびメール受信などを報知するためのキャラクタ画像のデータに基づく画像が表示される。
【００９１】
このように第１表示部５および第２表示部２０のそれぞれは、開いた状態の第１の筐体２または第２の筐体３の外部に呈示される面において表示画面が外部に向けられるように設けられる。特に第２表示部２０は折り畳まれた状態の第１の筐体２または第２の筐体３のいずれかの外部に呈示される面において表示画面が外部を向くように設けられる。
【００９２】
これらの画像を表示する際に、第２表示ドライバ部４４から第２表示部２０に送られてくる画像データは、表示した時にヒンジ４方向が上になるように表示される。第２表示部２０は、ヒンジ４方向が上になるように画像表示を行うことにより、ユーザは携帯電話機１を折り畳んだ状態で使用する際に、ヒンジを上に向けて使用することになり、ユーザが携帯電話機１を開いた状態でも閉じた状態でも第２の筐体３の向きが変わらない。言い換えれば、携帯電話機１を開いたり閉じたりするたびに、携帯電話機１の向きを変えたり持ち替えたりする必要がなくなり、操作性および利便性が向上する。第２表示部２０での画像表示には撮像画像も含まれ、撮像画像を見る場合にも、携帯電話機１の向きを変えたり持ち替えたりする必要がなくなり、操作性および利便性が向上する。
【００９３】
また、後述するようにアンテナを第１の筐体２の背面から別の場所に移したことにより、第１の筐体２の背面に制約がなくなり、従来よりも大きなサイズの第２表示手段２０を設けることができ、テキストや撮像画像の大量の情報表示が可能である。さらに第２の操作ボタン群２４を設けることにより、携帯電話機１を閉じた状態であっても、メールの内容確認や住所録の参照、複数画像の順次表示等のさまざまな表示が第２表示部２０にて可能になる。第２表示部２０での画像表示には撮像画像も含まれ、ユーザは撮像画像を折り畳んだ状態でも第２表示部２０にて大きな画面で確認することができる。従って、撮像画像を見る場合にも、携帯電話機１を開いたり閉じたりする必要がなくなり、操作性および利便性が向上する。
【００９４】
カメラ部２１は撮像レンズとＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子およびＲＧＢの３色のカラーフィルタを備える。ここでは説明を簡単にするためにカメラ部２１は撮像素子としてＣＣＤイメージセンサ（以下、単にＣＣＤという）２９を有する。カメラ部２１は被写体で反射されて撮影レンズに入射した光を、カラーフィルタを通してＲＧＢの３色光に変換し、ＲＧＢの３色光はそれぞれＣＣＤ２９に入射する。図２に示すようにカメラ部２１は携帯電話機１が折り畳まれた時には第１表示部５の背面であって、かつヒンジ４と第２表示部２０との間に位置するように設けられる。ユーザは携帯電話機１を開いた状態でカメラ部２１により撮影する時には、第２の筐体３を持って撮影する。
【００９５】
カメラ部２１は上記配置により、結果的にヒンジ４の近くに設けられるので、第１の筐体２を持つ時、カメラ部２１の近辺を支持することから、撮影時にユーザによる手ブレの影響を減少させることができる。しかも、アンテナを第１の筐体２の背面から除いたことによる大きな第２表示部２０によって、被写体撮影時に、被写体からも大きな画面にて手ブレの少ない自画像を容易に確認することができる。
【００９６】
ライト部２２は、カメラ部２１で撮像する際の補助光源として使われる。一般的に、補助光源にはキセノン管を用いるものが多いが、最近ではＲＧＢのＬＥＤ（Ｌｉｇｈｔ  Ｅｍｉｔｔｉｎｇ  Ｄｉｏｄｅ）が用いられる。これらＬＥＤを同時発光させて、白色光の照明を得ることができる。
【００９７】
第２のシャッタボタン２３は、第１の筐体２の第１表示部５の背面中央に配置されて、かつ図３に示す携帯電話機１を折り畳んだ状態では第２表示部２０の下側に位置する。この位置に第２のシャッタボタン２３を配置することにより、ユーザは折り畳んだ状態で簡単にシャッタボタン２３の位置を確認し、容易にシャッタ操作することができる。
【００９８】
また、従来機種のように第１の筐体の側面等に小さく設けられた、位置の確認しづらいシャッタボタンを探す必要がなくなり、操作性および利便性が向上する。
【００９９】
第２のシャッタボタン２３の両横には、第２表示部２０の表示情報を確認しながら各種のデータの設定または操作を行うための第２の操作ボタン２４ａと２４ｂが設けられている。この位置に第２の操作ボタン群２４を配置することにより、ユーザは折り畳んだ状態で簡単に第２の操作ボタン２４ａと２４ｂの位置を確認し、容易に第２の操作ボタン２４ａと２４ｂを操作することができる。
【０１００】
また、第２のシャッタボタン２３と第２の操作ボタン２４ａ及び２４ｂは、ユーザ操作により各種機能のＯＮ／ＯＦＦや特定動作の確定／終了を決定する操作ボタンとしても利用する。本発明の実施の一形態である携帯電話機１においては、ライト点灯、ライトＯＮ／ＯＦＦ、メニュー画面切替、ピクト表示ＯＮ／ＯＦＦ、カメラ起動、キーロックＯＮ／ＯＦＦ、選択決定、表示終了、メール本文表示、調整項目切替、ＭＰ３再生／停止、ライト色変更等に利用する。
【０１０１】
また、第２の操作ボタン２４ａと２４ｂは、ユーザ操作により各種機能の調整量の変更（アップ／ダウン、送り／戻り等）を行う調整ボタンとしても利用する。本発明の実施の一形態である携帯電話機１においては、メニュー画面での選択順送り／逆送り、各種表示画像の順送り／逆送り、ライト光量の暗く／明るく、ライト色変更の順送り／逆送り、音声着信履歴やメール受信履歴等の順送り／逆送り、ＴＶチャンネルのアップ／ダウン、ＭＰ３再生時の戻し／早送りと前曲／次曲、音量のアップ／ダウン、ズーム調整のズームイン／ズームアウト等に利用する。第２の操作ボタン２４ａと２４ｂは調整ボタンとして、主に各調整量のマイナスボタンとプラスボタンの意味合いを持たせている。なお、本実施例では、第２のシャッタボタン２３を調整ボタンとして利用していないが、これに限定されるものではなく、第２のシャッタボタン２３を利用してもかまわない。
【０１０２】
このように、ユーザは携帯電話機１を開かなくても第２のシャッタボタン２３と第２の操作ボタン２４ａ及び２４ｂを使用することにより、カメラ起動、ライト点灯やピクト表示切替等の複数の機能切り替えと調整量の変更が可能になる。従って、閉じた状態で切り替えできる機能については、携帯電話機１を開く必要がなくなり、操作性および利便性が向上する。
【０１０３】
また、カメラ部２１で撮影した画像を第２表示部２０で表示することができることから、上記第２のシャッタボタン２３と第２の操作ボタン２４ａ及び２４ｂを操作することにより、撮影条件の調整や撮影画像の加工を行うことができる。従って、携帯電話機１を開かなくても折り畳んだ状態で撮影条件の調整や撮影画像の加工することができ、操作性および利便性が向上する。
【０１０４】
また、このように操作ボタンと調整ボタンとを兼用することにより、携帯電話機１の小型化、部品点数の減少によるコストの低減が可能になる。また、調整ボタンも操作ボタンも一般的に＋ボタン（送りボタン）と−ボタン（戻りボタン）として使われることが多く、操作も似ていることから、ボタンを兼用した方がユーザも使いやすく、操作性および利便性が向上する。
【０１０５】
第２の筐体３の入力ボタン群７および機能ボタン群８の背面にはアンテナ部２５と昇降可能なヘリカル部２６、バッテリを格納するバッテリ部２７および着信音を鳴らすための第２のスピーカ２８を備えられる。
【０１０６】
図３と図４を参照して、第１の筐体２はヒンジ４を通して第２の筐体３と機構的に接続されるが、ヒンジ４内には第１の筐体２と第２の筐体３を電気的に接続するための図示されない可撓性基板が組み込まれている。第１の筐体２のヒンジ付近には可撓性基板やケーブルを第１の筐体２内に設けられた各種基板に接続するためのコネクタがあり、このコネクタの厚みが第１の筐体２の厚みに最も影響する。一方、カメラ部２１の厚みは前記コネクタの厚みよりも薄いため、前記コネクタ近辺にカメラ部２１を配置しても、第１の筐体２の厚みには影響しない。したがって、従来の携帯電話機は、カメラ部が第１の筐体２の先端付近（図３での下方付近）に配置されていたために、カメラ部の厚みによって、アンテナ部を除いた第１の筐体２の先端付近の厚みが決まっていたが、カメラ部をアンテナ部２５と第２表示部２０の間、すなわちヒンジ４付近に配置したことから第１の筐体２の中央部は第２表示部２０の厚みを確保し、第１の筐体２の先端付近に至ってはさらなる薄型化／小型化が可能になった。図４に示すように、第１の筐体２は中央部から先端部にかけて曲線状に厚みが狭まっているが、折り畳んだ状態で携帯電話機１の下部に相当する第１の筐体２の先端付近が薄型化される形状にすることにより、ユーザが洋服のポケット等に携帯電話機１を収納する際に収納しやすく、利便性が向上している。
【０１０７】
また、カメラ部２１と第２のシャッタボタン２３または第２の操作ボタン２４ａと２４ｂの間に第２表示部を配置することによりカメラ部２１と第２のシャッタボタン２３または第２の操作ボタン２４ａと２４ｂの間に一定の距離が保つことが可能になる。ユーザが第２のシャッタボタン２３または第２の操作ボタン２４ａと２４ｂを操作する際に、ユーザの指が誤ってカメラ部２１に触れたり、カメラ部２１の視界を遮ることを防ぐことができる。ユーザの指がカメラ部２１に触れて、レンズ等の部品に傷やゴミが付くことを防ぐことは、結果として携帯電話機の耐久性の向上ならびに性能維持が図られる。
【０１０８】
さらに、折り畳んだ状態でヒンジ４側を上にして持つように構成することにより、ユーザが折り畳んだ状態で携帯電話機１を持った時に、ユーザの手でカメラ部２１を塞ぐことがなくなり、カメラ部２１の位置を気にせずに携帯電話機１を持つことができる。
【０１０９】
本発明の実施の一形態である携帯電話機１を用いてカメラ撮影を行う場合の利用方法を、図５（ａ）と（ｂ）を用いて説明する。図５（ａ）に示す被写体３０を撮影する場合の一般的な利用方法では、ユーザは携帯電話機１を開き、カメラ部２１を被写体３０に向けて撮影してユーザは第１表示部５をファインダとして利用する。シャッタ操作のためには第１のシャッタボタン１０を使用するが、第１の筐体２の背面に備えた第２のシャッタボタン２３を使用することも可能である。図５（ｂ）にはユーザがカメラ部２１を用いてユーザ自身を撮影する場合の一般的な利用方法が示される。この場合、ユーザは第２表示部２０をファインダとして利用することにより、撮影されたユーザ自身の画像を確認しながら第２シャッタボタン２３を押下することによりシャッタ操作することができる。
【０１１０】
一般的な携帯電話機では、第２表示部２０で画像を表示する際には、画面確認時の違和感をなくすため、画像を左右反転させて鏡に映した像のように表示することが多いが、それに限定されるものではない。なお、本発明の実施の一形態である携帯電話機１では、折り畳んだ状態でユーザ自身を撮影できるので使い勝手が良い。なお、ユーザ自身の撮影は携帯電話機１を折り畳んだ状態で使用する形態に限定されず、開いた状態で撮影することもできる。
【０１１１】
また、携帯電話機１を折り畳んだ状態で第１の筐体２と第２の筐体３の同じ面にボタンが配置されるよう構成されているため、ユーザが携帯電話機１を折り畳んで操作した後に開いて操作する場合、もしくはその逆の場合に、第２の筐体３を持ったまま第１の筐体２の開閉を行うだけで、ユーザによるボタン入力操作が可能であり、携帯電話機１を持ち替えずにスムーズに操作することができる。
【０１１２】
次に本発明の実施の一形態である携帯電話機１のアンテナ部２５について詳細に説明する。図６は携帯電話機１の第２の筐体３の断面図である。アンテナ部２５のホイップ部３０が２の筐体３内の左端側に格納可能に構成されており、ヘリカル部２６は筐体外に露出している。ホイップ部３０とヘリカル部２６は、通話時の電波強度に応じて第２の筐体３から引き出し可能である。また、必ずしも上記ホイップ部３０とヘリカル部２６で構成されるアンテナに限定される必要はなく、例えば図７に示すように、逆Ｆ型内蔵アンテナ３２を第２の筐体３のヒンジ４近く上部（図７（ａ））、もしくは第１の筐体２の上部（図７（ｂ））に配置してもよい。
【０１１３】
次に携帯電話機１の内部構成について、内部ブロック図である図８を参照して説明する。携帯電話機１は第１および第２表示部５および２０、第１および第２のシャッタボタン１０および２３、カメラ部２１、赤色、緑色および青色のＬＥＤ２２Ｒ、２２Ｇおよび２２Ｂからなるライト部２２、アンテナ部２５、スピーカ２８、無線部５０、通信制御部５１、第１、第２および第３メモリ４２、４８および５２、第１および第２表示ドライバ部４３および４４、第１および第２バックライト４５および４６、各部の機能を制御し、音声再生部４０Ａと照明光量調整部４０Ｂと発光色変更部４０Ｃを備えた制御部４０、画像処理部４１、反転処理部４１Ａ、第１および第２の操作ボタン群４７および２４、ならびに開閉検出部４９を備える。
【０１１４】
制御部４０は各部の機能、例えばシャッタ操作の機能、バックライトの機能、補助光源の機能および表示機能などを制御する。画像処理部４１は図示されない増幅部、Ａ／Ｄ（アナログ／デジタル）変換部および信号処理部ならびに反転処理部４１Ａを有する。増幅部は、カメラ部２１からＲＧＢに対応した電気信号を入力して増幅し、Ａ／Ｄ変換部に出力する。Ａ／Ｄ変換部は増幅部で変換されたＲＧＢに対応した電気信号（アナログ）をデジタル信号に変換して画像データを信号処理部に出力する。信号処理部は、Ａ／Ｄ変換部から入力した画像データに対して、画素の補間処理などの信号処理をして反転処理部４１Ａに与える。反転処理部４１Ａは、画像データを入力すると、制御部４０から反転制御信号５５が与えられたときは入力画像データを対応の画像が１８０度回転するように１８０度回転処理して出力するが、反転制御信号５５が与えられないときは入力画像データをそのまま出力する。反転処理部４１Ａから出力される画像データは第１および第２メモリ４２と４８に与えられる。
【０１１５】
カメラ部２１および画像処理部４１は、被写体３０からの反射光を受光して電気信号に変換してフレーム単位の画像データとして出力する撮影部である。第１および第２メモリ４２および４８は、連続的に与えられる複数フレームの画像データを制御部４０の制御により一時的に記憶する。たとえば、与えられた新たな画像データを入力して記憶する際には、第１および第２メモリ４２および４８に記憶される複数の画像データのうち既に長時間記憶されていた画像データは消去されるか、あるいは入力した新しい画像データにより上書きされる。
【０１１６】
制御部４０は、第１および第２表示ドライバ部４３および４４に制御信号を送信するとともに、第１および第２メモリ４２および４８に記憶された画像データを読み出して第１および第２表示ドライバ部４３および４４にそれぞれ与える。第１および第２表示ドライバ部４３および４４は、第１および第２表示部５および２０に表示すべきデータに従って、すなわち第１および第２メモリ４２および４８から読み出されたデータに従って、第１および第２表示部５および２０の各画素電極に対して駆動電圧を印加する。
【０１１７】
第１および第２バックライト４５および４６は発光素子である発光ダイオードなどから構成され、第１および第２表示部５および２０に光を照射して表示画像の輝度を増加させる。第１および第２バックライト４５および４６の点灯および消灯の制御ならびに輝度調整などの制御は、制御部４０によって行われる。第１および第２バックライト４５および４６は各々独立して制御することが可能であり、画像が第１表示部５に表示されている時は第１バックライト４５が、第２表示部２０に表示されている場合は第２バックライト４６が点灯するように制御される。なお、第１および第２バックライト４５および４６はユーザによって消灯するための所定の操作が行われるまで点灯する構成としてもよいし、点灯してから所定時間が経過すると消灯する構成としてもよい。
【０１１８】
第１の操作ボタン群４７は前述した第２の筐体３の入力ボタン群７と機能ボタン群８から構成される。第２の操作ボタン群２４は第１の筐体２に設置されている操作ボタン２４ａと２４ｂを含む。
【０１１９】
第１および第２のシャッタボタン１０および２３は、シャッタ操作のために押下される。第１（第２）のシャッタボタン１０（２３）が押下されると、制御部４０にはシャッタ指示５６（５７）が与えられる。制御部４０はシャッタ指示５６（５７）を入力すると、第１メモリ４２および第２メモリ４８に連続的に書き込まれて一時的に記憶されている複数の画像データのうち、ユーザが保存を希望する画像データを読み出して、第３メモリ５２に書き込んで格納する。これにより、ユーザが希望する画像データは第３メモリ５２において保存される。ここでは、説明を簡単にするために第１メモリ４２および第２メモリ４８に格納された最新の画像データが読み出されて保存される。
【０１２０】
開閉検出部４９は携帯電話機１が折り畳まれているか否かを検出する。ヒンジ４内部には開閉状態を検知するために図示しない検出スイッチが設けられており、検出された状態（開状態および閉状態のいずれか）に応じた検出信号５３が制御部４０に出力される。制御部４０は、検出スイッチから入力する検出信号５３によって携帯電話機１が折り畳まれているか（閉状態）、開状態であるかを判断できる。
【０１２１】
アンテナ部２５、無線部５０および通信制御部５１は、無線電波を介して図示されない基地局と無線通信を行うときに、制御部４０の制御に従い、音声データ、文字データおよび画像データなどを送受信する。受信したデータは制御部４０により第３メモリ５２に格納される。
【０１２２】
図８に示す本発明の実施の一形態である携帯電話機１はテレビジョン信号も受信可能であり、アンテナ部２５から、無線通信用電波とテレビジョン放送信号波を分離するための分波器５８を備えている。分波器５８は無線通信用電波を無線部５０に、テレビジョン信号放送波をチューナ５９に送る。テレビジョン信号放送波を受信したチューナ５９は、受信したチャンネルの信号を信号処理回路６０に出力する。信号処理回路６０ではチューナ５９から入力した信号を映像信号および音声信号に分離し、制御部４０の制御に従い、映像信号は第１表示部５または第２表示部２０に、音声信号は第１のスピーカ８または第２のスピーカ２８にて出力される。
【０１２３】
受信チャンネルの変更に関しては、第１の操作ボタン群４７もしくは第２の操作ボタン群２４を操作することにより、ユーザは所望のチャンネルに変更することができる。第１の操作ボタン群４７もしくは第２の操作ボタン群２４の操作に基づき、制御部４０はチューナ５９に受信チャンネルの変更を制御する制御信号を送り、チューナ５９にてチャンネルを切り替える。
【０１２４】
制御部４０は、第１メモリに一時的に保存されている画像データに基づく画像を表示する表示部を、開閉検出部４９の検出結果に基づいて切り換える。開閉検出部４９によって、携帯電話機１が折り畳まれていることが検出された場合、制御部４０は、第１メモリ４２からの画像データを第２表示ドライバ部４４に出力し、第２表示部２０に画像を表示させる。開閉検出部４９によって、携帯電話機１が折り畳まれていない（開いている）ことが検出された場合、制御部４０は、第１メモリ４２からの画像データを第１表示ドライバ部４３に出力し、第１表示部５に画像を表示させる。
【０１２５】
前述のようにカメラ部２１は、携帯電話機１が折り畳まれたときは撮影の方向は外側に設けられているので、携帯電話機１のユーザ以外の被写体を撮像するときは、図５（ａ）に示すように、ユーザは、携帯電話機１を開いた状態でカメラ部２１をユーザと反対側にある被写体３０側に向けて撮像する。この状態では、カメラ部２１から出力された画像データに基づく画像が第１表示部５に表示される。これによって、ユーザは第１表示部５を撮像時のファインダとして使用することができる。
【０１２６】
一方、ユーザ自身を被写体として撮像するときは、図５（ｂ）に示すように、ユーザは、携帯電話機１を折り畳んだ状態でカメラ部２１をユーザ側に向けて撮影する。この状態では、カメラ部２１から出力された画像データに基づく画像が第２表示部２０に表示される。これによって、ユーザは第２表示部２０を撮影時のファインダとして使用することができる。
【０１２７】
本発明の実施の一形態である携帯電話機１は、ユーザが携帯電話機１の第２の筐体３を固定したまま、第１の筐体２を折り畳むもしくは開くだけで、撮像時にファインダとして使用する表示部５，２０が適切に切り換わり、撮影可能となるので、ユーザは被写体を切り替えるために、従来の携帯電話のように第２の筐体３を持ち替える必要がなくなり、被写体を切り替える際のユーザの手間を省くことができ、操作性および利便性が向上する。
【０１２８】
第１および第２バックライト４５，４６の制御について説明する。
制御部４０は、開閉検出部４９の検出結果に基づいて、第１および第２バックライト４５，４６の点灯、消灯を切り換える。開閉検出部４９によって、携帯電話機１が折り畳まれていることが検出された場合、制御部４０は、第２バックライト４６を点灯し、第２表示部２０の輝度を増加させる。開閉検出部４９によって、携帯電話機１が開いていることが検出された場合、制御部４０は、第１バックライト４５を点灯し、第１表示部５の輝度を増加させる。
【０１２９】
前述のように、ユーザが被写体をユーザ自身以外として撮像するときは、第１表示部５がファインダとして使用され、カメラ部２１から取り込まれた画像データが第１表示部５に表示される。このとき、第１バックライト４５が点灯し、第１表示部５の輝度を増加させる。
【０１３０】
一方、ユーザが被写体をユーザ自身として撮像するときは、第２表示部２０がファインダとして使用され、カメラ部２１から取り込まれた画像データが第２表示部２０に表示される。このとき、第２バックライト４６が点灯し、第２表示部２０の輝度を増加させる。
【０１３１】
このように、携帯電話機１を折り畳む、もしくは開くと、ファインダとして使用する表示部に光を供給するバックライトが点灯するので、表示された画像が見やすくなり、視認性が向上する。
【０１３２】
また、制御部４０はＭＰ３データを再生する音声再生部４０Ａを備える。ダウンロードもしくはパソコン等から携帯電話機にケーブル接続にて取り込まれたＭＰ３データは、第３メモリ５２に保存されており、音声再生部４０Ａにて再生し、スピーカ２８から出力することが可能である。ＭＰ３データ再生の音量調整と再生／停止、曲送り／曲戻り操作は、第１の操作ボタン群４７もしくは第２の操作ボタン群２４を操作することにより、ユーザは所望の操作をすることができる。第１の操作ボタン群４７もしくは第２の操作ボタン群２４の操作に基づき、制御部４０及び音声再生部４０Ａは音量と再生状態の変更を行う。
【０１３３】
また、制御部４０はライト部２２の光量を調整する照明光量調整部４０Ｂとライト部２２の発光色を変更する発光色変更部４０Ｃを備える。照明光量調整部４０Ｂは、ユーザが第１の操作ボタン群４７もしくは第２の操作ボタン群２４を操作することにより、ライト部の光量を手動で調整することができる。また、カメラ部２１からの信号にて周囲の明るさを判断し自動的に光量を増減させてもよい。発光色変更部４０Ｃは、ＬＥＤ２２Ｒ、２２Ｇ、２２Ｂの各ＬＥＤの発行の組み合わせにより、白色光以外の赤、緑、青、黄、紫、水色等の発光色を生じさせる。発光色の変更はユーザが第１の操作ボタン群４７もしくは第２の操作ボタン群２４を操作することにより、所望の色を発光操作することができる。
【０１３４】
図９は、第２のシャッタボタン２３と第２の操作ボタン２４ａおよび２４ｂの操作割り当てを表形式にして示したものである。携帯電話機１には通常モードとカメラモードの２つのモードがある。携帯電話機１の電源投入後は通常モードであり、カメラ撮影するためには、カメラ機能を起動し表示部をファインダとして利用するためにカメラモードに切り替える必要がある。
【０１３５】
なお、本発明の実施において、図９に示された全ての機能切替と調整量の変更を第２のシャッタボタン２３と第２の操作ボタン２４ａおよび２４ｂに割り当てる必要はなく、携帯電話機１の製造者が必要に応じていくつかの切替／変更を上記ボタンに割り当てればよい。また、図９において、網掛け部分は機能切替を行うための決定ボタンとして利用し、網掛けでない部分は調整量の変更を行うための各方向ボタンとして利用することを示す。
【０１３６】
電源投入後の発着信のない状態は一般的に待ち受け状態と呼ばれ、第２表示部２０にはユーザが設定した待ち受け画像や時計等の待ち受け画面が表示されている。第２表示部２０では待ち受け画面とともに図１０に示すピクト表示を行うことが可能であり、第２の操作ボタン２４ａを押下することによって、ピクトの表示／非表示を切り替えることができる。
【０１３７】
また、第２の操作ボタン２４ａを１秒以上押下することにより、第２のシャッタボタン２３と第２の操作ボタン２４ａおよび２４ｂをロックすることができる。第２のシャッタボタン２３と第２の操作ボタン２４ａおよび２４ｂは携帯電話機１を折り畳んだ状態であっても外部に露呈する面に設けられていることから、ユーザが意思とは関係なく何らかの接触により押下されてしまうこともあり、キーロック状態にすることにより、第２のシャッタボタン２３と第２の操作ボタン２４ａおよび２４ｂが押下されたとしても無効化することができる。キーロックの解除は再度第２の操作ボタン２４ａを１秒以上押下することにより解除される。
【０１３８】
また、第２の操作ボタン２４ｂを押下すると、押下している間だけライト部２２が点灯し、１秒以上押下することにより、ライト部２２が常時点灯に切り替わる。また常時点灯時に１秒以上押下することによりライト部２２を消灯することができる。このような設定にすることにより、ユーザはライト部２２を手動で点滅させたり、懐中電灯のように常時点灯させたりと、ライト部２２の発光状態を使い分けることができ、操作性および利便性が向上する。また、短押しと長押しで制御を切り替えることにより、操作ボタン数を増やさずに複数の制御が可能になり、携帯電話機の大型化、部品点数の増加によるコストの増大を抑制することが可能になる。
【０１３９】
待ち受け状態で第２のシャッタボタン２３を押下すると第２表示部２０の最下段に左の矢印表示、選択項目、右の矢印表示が順番に表示される。ここで第２の操作ボタン２４ｂは順送りの選択ボタンであり、第２の操作ボタン２４ｂを押す度に第２表示部２０の矢印キー表示に挟まれた選択項目の領域には、壁紙設定→画像確認→ライト光量→ライト色→音声着信→メール着信→表示終了→壁紙設定と選択項目が順番に切り替わる。また、第２の操作ボタン２４ａは逆送りの選択ボタンであり、メール着信→音声着信→ライト色→ライト光量→画像確認→壁紙設定→表示終了→メール着信の順に選択項目が切り替わる。ユーザが第２の操作ボタン２４ａまたは２４ｂで選択後に、ここでは決定キーを意味する第２のシャッタボタン２３を押下すると、ユーザが選択した項目の操作に移る。
【０１４０】
壁紙設定モードは、第２表示部２０に表示される待ち受け画像の設定を行うためのモードである。ここでは携帯電話機１の第３メモリ５２に保存された壁紙画像や撮影画像等の画像ファイル、時計機能、アニメーション表示、ＪＡＶＡ（登録商標）アプリケーションの表示を選択設定することができる。ユーザが第２の操作ボタン２４ａまたは２４ｂを押下する毎に第２表示部２０の表示内容が切り替わり、ここでは決定キーを意味する第２のシャッタボタン２３を押下することによって、設定を完了し、待ち受け状態に戻る。
【０１４１】
画像確認モードは、カメラ部２１で撮影し第３メモリ５２に保存された画像を確認表示するためのモードである。ユーザが第２の操作ボタン２４ａ（順送り）または２４ｂ（逆送り）を押下する度に第２表示部２０に撮影画像が順番に表示される。他の画像とは区別して撮影画像のみを表示させるための方法として、撮影した画像は携帯電話機１の第３メモリ内の所定のフォルダに保存するように予め設定し、そのフォルダに保存された画像を順次表示するか、カメラ部２１で撮影し保存する際にその画像ファイルに対してフラグを立てておき、フラグの立っている画像ファイルのみを表示するという方法でも良い。
【０１４２】
ライト光量モードは、ライト部２２の光量を調整するためのモードである。図１１（ａ）に示すように、ライト光量モードでは、第２表示部２０の最下段に左右の矢印表示と現在の光量を示すインジケータが画面水平方向に表示される。ユーザが第２の操作ボタン２４ａ（明るく）または２４ｂ（暗く）を押下する度にインジケータの長さが短くなるか長くなり、それに連動してライト部２２の光量も変化する。また、ユーザが左ボタン（第２の操作ボタン２４ｂ）を１秒以上の長押しにした場合には、ライト発光を終了する。このように、第２の操作ボタン２４ａまたは２４ｂを操作することにより、携帯電話機を開かなくても折り畳んだ状態でライト部２２の光量調整を行うことができ、操作性および利便性が向上する。
【０１４３】
次に、第１の筐体２の背面に設けられたボタン２３、２４ａ、２４ｂを用いてライト部２１の光量を調整する手順について図１２のフローチャートに従い説明する。ここでは、所定の操作を経て、第２表示部２０でのメニュー画面からライト光量調整モードを選択し、ライト光量調整モードに入った状態からの処理を説明する。
【０１４４】
まず、ライト光量調整モードに入ると、制御部４０は第３メモリ５２から光量データＬＸを読み出し、光量データＬＸに基づいた光量にてライトを点灯する（ステップＳ（以下、単にＳと略す）１０）。この時、すでにライト部２１が点灯している時には、実質的に何も変わらない。次にユーザが背面に設けられたボタン２３、２４ａ、２４ｂを押下しているかどうか検出する（Ｓ１１）。ボタンが押下されていた場合、制御部４０はユーザがどのボタンを押したか検出し、メモリに記憶する（Ｓ１２）。次にユーザがボタンを標準押し（短押し）したのか、長押ししたのかを判断するためにカウンター値Ｉを０に設定する（Ｓ１３）。カウンター値Ｉは１０ｍｓｅｃ後に１インクリメントする（Ｓ１４）。ユーザがボタンを押している間は、カウンター値Ｉは１０ｍｓｅｃ毎に１増加し（Ｓ１５）、ユーザがボタンを離すと、押下していたボタンに対応した処理に進む（Ｓ１６）。
【０１４５】
ユーザが右ボタンを押していた場合、ボタンを押していた時間（カウンター値Ｉ）を検出し（Ｓ１７）、Ｉが１００より大きい場合は「長押し」と判断する。この場合、右ボタンの長押しは規定していないことから、Ｓ２７を経てＬＯＯＰへ戻る（Ｓ２１）に進む。Ｉが１００以下の場合は光量ＬＸが最大値ＬＸ＝１０よりも小さいかどうかを判断する（Ｓ１８）。光量ＬＸが１０以上の場合、これ以上の光量には上げられないことから、Ｓ２７を経てＬＯＯＰへ戻る（Ｓ２１）に進む。光量ＬＸが１０より小さい場合には、光量ＬＸの値を１増加し（Ｓ１９）、光量ＬＸの値に応じた長さのバーを第２表示部に表示するとともにライトを光量ＬＸで点灯させる（Ｓ２０）。
【０１４６】
ユーザが決定ボタンを押していた場合、ボタンを押していた時間（カウンター値Ｉ）を検出し（Ｓ２２）、Ｉが１００より大きい場合は「長押し」と判断する。この場合、決定ボタンの長押しは規定していないことから、Ｓ２７を経てＬＯＯＰへ戻る（Ｓ２１）に進む。Ｉが１００以下の場合は、ユーザがライト光量調整を終了することを意味し、現在の光量ＬＸの状態でライト光量調整モードを終了する。
【０１４７】
ユーザが左ボタンを押していた場合、ボタンを押していた時間（カウンター値Ｉ）を検出し（Ｓ２３）、Ｉが１００より大きい場合は「長押し」と判断する。この場合、左ボタンの長押しはライトＯＦＦを意味し、光量ＬＸを０にする（Ｓ２６）。Ｉが１００以下の場合は光量ＬＸが１以上かどうかを判断する（Ｓ２５）。光量ＬＸが０の場合、これ以下の光量には下げられないことから、Ｓ２７を経てＬＯＯＰへ戻る（Ｓ２１）に進む。光量ＬＸが１以上の場合には、光量ＬＸの値を１減少し（Ｓ２５）、光量ＬＸの値に応じた長さのバーを第２表示部に表示するとともにライトを光量ＬＸで点灯させる（Ｓ２０）。
【０１４８】
ＬＯＯＰへ戻る（Ｓ２１）に進んだ場合、ＬＯＯＰ（２８）に進み、再びライト光量調整を繰り返す。
【０１４９】
図１１（ｂ）は光量ＬＸの値に応じた長さのバーを表示する（Ｓ２０）際の表示例を示す。光量ＬＸが１増える毎に左側から表示ブロックが１つずつ増え、最大光量ＬＸ＝１０で全てのブロックが表示される。実際に第２表示部に表示される表示例が図１１（ａ）となる。このように、調整量を視覚的に表示する第２表示部２２と調整ボタンを同一面に配置することにより、ユーザは携帯電話機１を折り畳んだ状態で調整量を見ながら操作することができ、操作性および利便性が向上する。なお、以下に記載する各種調整モードにおいても、同様のバー表示を行い、ユーザは携帯電話機１を折り畳んだ状態で調整量を見ながら操作することができる。
【０１５０】
ライト色モードは、ライト部２２の発光色を変更するためのモードである。ライト部２２は赤色ＬＥＤ２２Ｒと緑色ＬＥＤ２２Ｇと青色ＬＥＤ２２Ｂにて構成するため、各ＬＥＤの発光の組み合わせにより、白色光以外の例えば赤色、緑色、青色、黄色、紫色、水色の発光が可能である。ユーザが第２の操作ボタン２４ａ（順送り）または２４ｂ（逆送り）を押下する度にライト部２２は発光色が切り替わる。また、ユーザが左ボタン（第２の操作ボタン２４ｂ）を１秒以上の長押しにした場合には、ライト発光を終了する。このように、第２の操作ボタン２４ａまたは２４ｂを操作することにより、携帯電話機１を開かなくても折り畳んだ状態でライト部２２の発光色変更を行うことができ、操作性および利便性が向上する。
【０１５１】
音声着信履歴モードは、音声着信の履歴を表示するためのモードである。携帯電話機１に音声着信があると、その履歴が第３メモリ５２に保存されており、いつ誰から電話がかかってきたのか表示することができる。第２表示部２０には、着信時刻と発信者の電話番号または名前が表示され、ユーザが第２の操作ボタン２４ａ（新しい着信）または２４ｂ（古い着信）を押下する度に第２表示部２０の着信履歴が切り替わる。このように、携帯電話機１を開かなくても折り畳んだ状態で第２表示部２２に表示される着信履歴を第２の操作ボタン２４ａまたは２４ｂを操作して切り替えることができ、操作性および利便性が向上する。
【０１５２】
メール表示モードは、受信したメールを閲覧するためのモードである。第２表示部２０には、件名および発信者が表示され、ユーザが第２のシャッタボタン２３を押下すると、メールの本文が表示される。また、ユーザが第２の操作ボタン２４ａ（新しいメール）または２４ｂ（古いメール）を押下する度に第２表示部２０の着信履歴が切り替わる。メール表示モードを終了するためには、ユーザが第２のシャッタボタン２３を長押しすると終了する。このように、携帯電話機１を開かなくても折り畳んだ状態で第２表示部２２に表示される受信メール内容を第２の操作ボタン２４ａまたは２４ｂを操作して切り替えることができ、操作性および利便性が向上する。
【０１５３】
次に、第１の筐体２の背面に設けられたボタン２３、２４ａ、２４ｂを用いて第２表示部２０にメール内容を表示する手順について図１３のフローチャートに従い説明する。ここでは、所定の操作を経て、第２表示部２０でのメニュー画面からメール内容表示モードを選択し、メール内容表示モードに入った状態からの処理を説明する。なお。メニュー画面からの選択以外に、携帯電話機１がメールを受信した場合、５秒以内にボタンを押せば、メール内容表示モードに入れるようにしてもよい。
【０１５４】
まず、メール内容表示モードに入ると、制御部４０は第３メモリ５２から先頭のメールを読み出し、第２表示部２０に先頭のメールの差出人と題名を表示する。メモリ内でのメールボックスには先頭のメールから順番にメールの番号を示す値ＭＸが順次割り振られており、この場合、メール番号ＭＸは１に設定される（Ｓ３０）。次にユーザが背面に設けられたボタン２３、２４ａ、２４ｂを押下しているかどうか検出する（Ｓ３１）。ボタンが押下されていた場合、制御部４０はユーザがどのボタンを押したか検出し、メモリに記憶する（Ｓ３２）。次にユーザがボタンを標準押し（短押し）したのか、長押ししたのかを判断するためにカウンター値Ｉを０に設定する（Ｓ３３）。カウンター値Ｉは１０ｍｓｅｃ後に１インクリメントする（Ｓ３４）。ユーザがボタンを押している間は、カウンター値Ｉは１０ｍｓｅｃ毎に１増加し（Ｓ３５）、ユーザがボタンを離すと、押下していたボタンに対応した処理に進む（Ｓ３６）。
【０１５５】
ユーザが右ボタンを押していた場合、ボタンを押していた時間（カウンター値Ｉ）を検出し（Ｓ３７）、Ｉが１００より大きい場合は「長押し」と判断する。この場合、右ボタンの長押しは規定していないことから、Ｓ４７を経てＬＯＯＰへ戻る（Ｓ４１）に進む。Ｉが１００以下の場合はメール番号ＭＸがメール最大保存件数よりも小さいかどうかを判断する（Ｓ３８）。メール番号ＭＸがメール最大保存件数以上の場合、次のメールが存在しないためことから、Ｓ４７を経てＬＯＯＰへ戻る（Ｓ４１）に進む。メール番号ＭＸがメール最大保存件数より小さい場合には、メール番号ＭＸの値を１増加し（Ｓ３９）、第２表示部２０にメール番号ＭＸのメール差出人と題名を表示するよう、表示メモリに書き込む（Ｓ４０）。
【０１５６】
ユーザが決定ボタンを押していた場合、ボタンを押していた時間（カウンター値Ｉ）を検出し（Ｓ４２）、Ｉが１００より大きい場合は「長押し」と判断する。この場合、決定ボタンの長押しはユーザがメール表示を終了することを意味し、メール表示モードを終了する。Ｉが１００以下の場合は、メール番号ＭＸのメールの本文を第２表示部２０に表示し（Ｓ４３）、Ｓ４７を経てＬＯＯＰへ戻る（Ｓ４１）に進む。
【０１５７】
ユーザが左ボタンを押していた場合、ボタンを押していた時間（カウンター値Ｉ）を検出し（Ｓ４４）、Ｉが１００より大きい場合は「長押し」と判断する。この場合、左ボタンの長押しは規定していないことから、Ｓ４７を経てＬＯＯＰへ戻る（Ｓ４１）に進む。Ｉが１００以下の場合はメール番号ＭＸが１より大きいかどうかを判断する（Ｓ４５）。メール番号ＭＸが１以下の場合、これが先頭のメールであることから、Ｓ４７を経てＬＯＯＰへ戻る（Ｓ４１）に進む。メール番号ＭＸが１より大きい場合には、メール番号ＭＸの値を１減少し（Ｓ４６）、第２表示部２０にメール番号ＭＸのメール差出人と題名を表示するよう、表示メモリに書き込む（Ｓ４０）。ＬＯＯＰへ戻る（Ｓ４１）に進んだ場合、ＬＯＯＰ（４８）に進み、再びメール表示を繰り返す。
【０１５８】
このようにして、３つのボタンを用いて、メール差出人・題名表示の送り／戻りと本文表示並びにメール表示モードの終了の操作を行うことができる。
【０１５９】
音声着信履歴モードおよびメール表示モードには、待ち受け状態から選択項目を選択してモードに入る以外にも、音声着信またはメール受信があった場合に、第２のシャッタボタン２３を押下することによって、モードに入ることも可能である。音声着信またはメール受信から所定の時間だけ第２表示部２０に特定の表示を行い、前記特定の表示がある時のみ、ユーザが第２のシャッタボタン２３を押下すると、前述した選択項目が表示されるのではなく、音声着信履歴モードまたはメール表示モードに入ることができる。
【０１６０】
また、携帯電話機１はテレビチューナ５９を備えていることから、第２表示部２０にてテレビを表示することができる。テレビ表示時においては、ユーザが第２の操作ボタン２４ａおよび２４ｂの操作によってチャンネル切り替えおよび音量調整を行うことができる。チャンネル切り替えと音量調整の切り替えはユーザがシャッタボタン２３を押下することにより、どちらを調整するか切り替えることができる。このように、第２表示部２２でテレビを視聴する場合においても、チャンネル変更の際に携帯電話機１を開いて数字ボタン等で操作しなくても折り畳んだ状態で、第２の操作ボタン２４ａおよび２４ｂを操作して、チャンネル変更が可能となることから、操作性および利便性が向上する。また、携帯電話機１で音声を聞く場合において、音量変更の際に携帯電話機１を開いて数字ボタン等で操作しなくても折り畳んだ状態で、第２の操作ボタン２４ａおよび２４ｂを操作して、音量変更が可能となることから、操作性および利便性が向上する。
【０１６１】
また、携帯電話機１の第３メモリに蓄えられたＭＰ３データの再生をシャッタボタン２３および第２の操作ボタン２４ａおよび２４ｂにて操作することができる。このように、携帯電話機１で音声データを聞く場合において、再生曲変更の際に携帯電話機１を開いて数字ボタン等で操作しなくても折り畳んだ状態で、第２の操作ボタン２４ａおよび２４ｂを操作して、再生曲変更が可能となることから、操作性および利便性が向上する。
【０１６２】
次にカメラモード時の第２のシャッタボタン２３および第２の操作ボタン２４ａおよび２４ｂの操作を説明する。カメラモードへは、待ち受け状態時にユーザが第２のシャッタボタン２３を長押しすることにより、カメラ部２１が起動しカメラモードに入る。カメラモード時に第２のシャッタボタン２３を押すことにより、シャッタ操作が行われる。
【０１６３】
また、ユーザが第２の操作ボタン２４ｂを押下すると、押下する度にライト部２２が発光色を変えて（白色→赤色→緑色→青色→黄色→紫色→水色→白色）、押下している間だけ点灯し、１秒以上押下することにより、その時点での発光色にてライト部２２が常時点灯に切り替わる。また常時点灯時に１秒以上押下することによりライト部２２を消灯することができる。このように、前記第２の操作ボタン２４ｂを短押しするか長押しするかによって、ライト部２２の発光色とライト部２２のＯＮ／ＯＦＦ切替を使い分けることができ、操作性および利便性が向上する。また、短押しと長押しで制御を切り替えることにより、操作ボタン数を増やさずに複数の制御が可能になり、携帯電話機１の大型化、部品点数の増加によるコストの増大を抑制することが可能になる。
【０１６４】
また、ユーザが第２の操作ボタン２４ａを押下すると、カメラモードにおいての設定が可能になる。図８に示した例では、ユーザが第２の操作ボタン２４ａを一度押下すると、第２表示部２０の最下段に「ズーム」の文字が表示され、続けてここでは決定キーを意味する第２シャッタボタン２３を押下すると、ズーム調整モードに移る。第２シャッタボタン２３を押下せずに、第２の操作ボタン２４ａを続けて押下すると、ズーム調整→明るさ調整→ライト光量モード→ライト色モード→調整終了と切り替わる。ユーザは所望の調整項目が表示された時に決定キーを意味する第２シャッタボタン２３を押下して各調整モードに入る。
【０１６５】
ズーム調整モードは、カメラ撮影時のズームを調整するためのモードである。前述のライト光量モードと同様に、第２表示部２０の最下段に左右の矢印表示と現在のズーム状態を示すインジケータが画面水平方向に表示される。ユーザが第２の操作ボタン２４ａ（ズームイン）または２４ｂ（ズームアウト）を押下する度にインジケータの長さが短くなるかもしくは長くなり、それに連動してズームが調整される。ズーム調整後、第２シャッタボタン２３を押下することにより、調整モードは終了し、第２シャッタボタン２３を押下してシャッタ操作が可能になる。
【０１６６】
明るさ調整モードは、撮影画像の輝度を調整するためのモードである。前述のライト光量モードと同様に、第２表示部２０の最下段に左右の矢印表示と現在の光量を示すインジケータが画面水平方向に表示される。ユーザが第２の操作ボタン２４ａ（明るく）または２４ｂ（暗く）を押下する度にインジケータの長さが短くなるか長くなり、それに連動して表示画像の輝度の調整が制御部４０よって行われる。
【０１６７】
ここではシャッタ操作前の段階で明るさ調整を行っているが、撮影後に撮影画像の明るさ調整を行うか、このままの画像で保存を行うかのユーザ確認画面を第２表示部に表示し、ユーザが明るさ調整を希望した場合に明るさ調整モードに入るようにしてもよい。その場合、ユーザが明るさ調整を完了した後に調整済み画像を第３メモリ５２に保存することができる。撮影後画像保存前に画像調整を行うようにすれば、撮影画像の明るさ調整以外にも、画像の色合いやタッチ、フレーム等の画像装飾を第２シャッタボタン２３と第２の操作ボタン２４を用いて設定することができる。このように、カメラ撮影を行い、撮影した画像を保存する前に第２表示部２０を見ながら画像の加工を行うことにより、ユーザが画像調整や加工を行った後の画像を保存することができる。従って、ユーザが撮影直後に撮影画像の調整／加工を望む際に、一旦保存された画像を再度読み出して画像調整／加工をする手間が無くなり、操作性および利便性が向上する。
【０１６８】
ライト光量モードは、ライト部２２の光量を調整するためのモードである。ライト光量モードでは、第２表示部２０の最下段に左右の矢印表示と現在の光量を示すインジケータが画面水平方向に表示される。ユーザが第２の操作ボタン２４ａ（明るく）または２４ｂ（暗く）を押下する度にインジケータの長さが短くなるか長くなり、それに連動してライト部２２の光量も変化する。
【０１６９】
ライト色モードは、ライト部２２の発光色を変更するためのモードである。ライト部２２は赤色ＬＥＤ２２Ｒと緑色ＬＥＤ２２Ｇと青色ＬＥＤ２２Ｂにて構成するため、各ＬＥＤの発光の組み合わせにより、白色光以外の例えば赤色、緑色、青色、黄色、紫色、水色の発光が可能である。ユーザが第２の操作ボタン２４ａ（順送り）または２４ｂ（逆送り）を押下する度にライト部２２は発光色が切り替わる。
【０１７０】
次に、本発明の実施の他の形態を図１４に示す。図１４に示す携帯電話機７０は、第１の筐体７１の背面に、ヒンジ４から順番にカメラ部２１とライト部２２が並んで配置され、続いて第２表示部２０が配置される。第２表示部２０に続いて携帯電話機７０の特徴であるマルチボタン７２が配置される。マルチボタン７２は、シャッタ／決定ボタン７２ａ、上方向ボタン７２ｂ、下方向ボタン７２ｃ、右方向ボタン７２ｄおよび左方向ボタン７２ｅの５つのボタンを一体化したものである。なお、先に説明した携帯電話機１と共通するものについては、同一符号を付けている。
【０１７１】
図１５は、マルチボタン７２の操作割り当てを表形式にして示したものである。携帯電話機７０には通常モードとカメラモードの２つのモードがある。携帯電話機７０の電源投入後は通常モードであり、カメラ撮影するためには、カメラ機能を起動し表示部をファインダとして利用するためにカメラモードに切り替える必要がある。
【０１７２】
マルチボタン７２は上方向ボタン７２ｂおよび下方向ボタン７２ｃを押下することにより、各種調整項目の選択を可能にし、左方向ボタン７２ｅおよび右方向ボタン７２ｄを押下することにより、上方向ボタン７２ｂおよび下方向ボタン７２ｃにて選択された各種設定モードにおける調整量の変更を可能にする。一例を挙げると、通常モードの待ち受け状態の時に、下方向ボタン７２ｃを１回押下すると、ライトＯＮ／ＯＦＦ設定になり、続いて２回押下すると画像確認モードになる。画像確認モードにおいて右方向ボタン７２ｄを押下すると、カメラ部２１で撮影し第３メモリ５２に保存された画像が順送りで第２表示部２０に表示される。逆にを押すことにより、画像が逆送りで第２表示部２０に表示される。
【０１７３】
このように、ユーザは携帯電話機を開かなくても上方向ボタン７２ｂおよび下方向ボタン７２ｃを操作することにより、ライトＯＮ／ＯＦＦや画像確認モード等の調整項目を選択し、右方向ボタン７２ｄおよび左方向ボタン７２ｅを操作して調整量を変更することが可能になる。調整項目の選択と調整量の選択を独立することにより、ユーザにとって操作がしやすくなる。また、閉じた状態で調整項目の選択と調整量の変更が可能になり、携帯電話機を開く必要がなくなり、操作性および利便性が向上する。また、第２表示部２０は、前記カメラ部２１で撮影した撮影画像を表示することから、ユーザは折り畳んだ状態であっても、カメラ部２１で撮影した撮影画像に関して、各種調整項目の切り替えと調整量の変更や加工等を行うことができ、操作性および利便性が向上する。
【０１７４】
なお、本実施例では上方向ボタン７２ｂおよび下方向ボタン７２ｃを調整項目を変更するためのボタンとして説明したが、マルチボタン７２の全てのボタン（７２ａ〜７２ｅ）をピクト表示のＯＮ／ＯＦＦ切換やキーロック、ライトＯＮ／ＯＦＦ等の決定ボタンとして操作割り当てをしてもよい。
【０１７５】
図１６は図１５を改良したマルチボタン７２の操作割り当てを表形式にして示したものである。携帯電話機７０の設定時の動作モードとして、通常モード、カメラモードの他に、メール表示モード、ＴＶモード、ＭＰ３再生モードを独立して設定可能にしたものである。
【０１７６】
メール表示モードは、携帯電話機７０でのメール受信直後もしくはユーザによる特定の操作（例えば決定ボタン７２ａをダブルクリックする）にてメール表示モードに入ることができる。メール表示モードにおいてユーザが決定ボタン７２ａを押下すると、最新のメールの本文が第２表示部２０に表示される。メール本文が長く第２表示部２０にすべての文章を表示できない場合、その一部が第２表示部２０に表示されるが、下方向ボタン７２ｃを押下することによって、第２表示部２０の画面を下方向にスクロールさせ、メールの続きを表示させることができる。また、上方向ボタン７２ｂを押下することによって、第２表示部２０の画面を上方向にスクロールさせ、メールの先頭を表示させることができる。左方向ボタン７２ｅを押下することにより、現在表示しているメールよりも１つ前の古いメールを表示し、右方向ボタン７２ｄを押下することにより、現在表示しているメールよりも１つ新しいメールを表示することができる。メール表示モードを終了させる場合には、決定ボタン７２ａをダブルクリックすることにより、携帯電話機７０は待ち受けモードに戻り、第２表示部２０には待ち受け画像が表示される。このように、ユーザは折り畳んだ状態であっても、第２表示部２２にメールを表示させ、メールのスクロールと他のメールへの切り替えが可能になる。これにより、メール本文を見る場合において、わざわざ携帯電話機７０を開いて第１表示部５でメールを読み、数字ボタン等で読むメールを切り替えなくても、折り畳んだままの状態で、右方向ボタン７２ｄと左方向ボタン７２ｅでメールを切替え、上方向ボタン７２ｂと下方向ボタン７２ｃでメールのスクロール表示が可能であり、操作性および利便性が向上する。
【０１７７】
ＴＶモードは、ユーザによる特定の操作にてＴＶモードに入ることができる。図１５にて説明したマルチボタン７２の操作割り当てでは、受信チャンネルの切り換えと音量調整に右方向ボタン７２ｄおよび左方向ボタン７２ｅを兼用しており、決定ボタン７２ａを押下することにより、受信チャンネルの切り換えと音量調整を切り換えていたが、ここでは、受信チャンネルの切り換えには右方向ボタン７２ｄおよび左方向ボタン７２ｅを、音量調整には上方向ボタン７２ｂおよび下方向ボタン７２ｃを割り当てて、操作を簡単にしている。このように、ユーザは折り畳んだ状態であっても、第２表示部２０にてテレビジョン画像を表示し、チャンネルボタンと音量ボタンを用いて、チャンネルならびに音量の変更を操作することができ、操作性および利便性が向上する。
【０１７８】
ＭＰ３再生モードは、ユーザによる特定の操作にてＭＰ３再生モードに入ることができる。図１５にて説明したマルチボタン７２の操作割り当てでは、再生操作と音量調整に右方向ボタン７２ｄおよび左方向ボタン７２ｅを兼用しており、決定ボタン７２ａを押下することにより、再生操作と音量調整を切り換えていたが、ここでは、再生操作には右方向ボタン７２ｄおよび左方向ボタン７２ｅを、音量調整には上方向ボタン７２ｂおよび下方向ボタン７２ｃを割り当てて、操作を簡単にしている。このように、ユーザは折り畳んだ状態であっても、再生操作手段として右方向ボタン７２ｄおよび左方向ボタン７２、音量調整手段として上方向ボタン７２ｂおよび下方向ボタン７２ｃを操作することにより、音声データの再生／記録を操作することができ、操作性および利便性が向上する。
【０１７９】
以上のように、携帯電話機１（７０）に複数の操作手段である決定ボタンまたは方向ボタンを設けることにより、携帯電話機１（７０）を折り畳んだ状態においても、各種の調整、設定及び切換が可能になり、携帯電話機１（７０）を開いて操作する動作が不要になる。また、携帯電話機１（７０）を折り畳んだコンパクトな状態で様々な用途で使えるため、利便性が向上する。また、ボタン配置を工夫したことにより、ユーザの操作性が向上する。
【０１８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１８１】
以上のように本発明によれば、携帯電話機が折り畳まれた時に外側に第２表示手段と前記携帯電話機を折り畳んだ状態で使用される複数の操作手段がある。これによって、ユーザは折り畳んだ状態であっても撮影機能の切り替えや第２表示手段の表示切り替え等の複数の切り替えを行うことができる。
【０１８２】
このように、ユーザは携帯電話機を開かなくても操作手段を使用することにより、カメラ起動、ライト点灯やピクト表示切替等の複数の機能切り替えが可能になる。従って、閉じた状態で切り替えできる機能については、携帯電話機を開く必要がなくなり、操作性および利便性が向上する。
【０１８３】
また、本発明によれば、撮像手段で撮影した画像を第２表示手段で表示することができることから、上記操作手段を操作することにより、撮影条件の調整や撮影画像の加工を行うことができる。従って、携帯電話機を開かなくても折り畳んだ状態で撮影条件の調整や撮影画像の加工することができ、操作性および利便性が向上する。
【０１８４】
また、本発明によれば、前記操作手段の１つがシャッタボタンであることから、前記シャッタボタンを操作することにより、ユーザが撮影操作を行うことができる。従って、携帯電話機を開かなくても折り畳んだ状態で撮影できるとともに、第２表示手段とシャッタボタンが同一面にあることから、容易にシャッタボタンを操作して撮影することが可能になり、操作性および利便性が向上する。
【０１８５】
また、本発明によれば、前記操作手段は撮影条件を調整する調整ボタンであることから、前記操作手段を操作することにより、撮影条件を調整することができる。従って、携帯電話機を開かなくても折り畳んだ状態で撮影条件を調整することができ、操作性および利便性が向上する。
【０１８６】
また、本発明によれば、前記操作手段は前記第２表示手段の表示を操作する操作ボタンであることから、前記操作手段を操作することにより、前記第２表示手段の表示を操作することができる。従って、携帯電話機を開かなくても折り畳んだ状態で前記第２表示手段の表示を操作することができ、操作性および利便性が向上する。
【０１８７】
また、本発明によれば、前記操作手段は前記調整ボタンと前記操作ボタンを兼用することから、前記操作手段を操作することにより、撮影条件を調整と前記第２表示手段の表示を操作することができる。従って、携帯電話機の背面に撮影条件の調整を行う調整ボタンと前記第２表示手段の表示操作を行う操作ボタンとを個別に設けなくても兼用したボタンを設ければよい。
【０１８８】
このように調整ボタンと操作ボタンとを兼用することにより、携帯電話機の小型化、部品点数の減少によるコストの低減が可能になる。また、調整ボタンも操作ボタンも一般的に＋ボタン（送りボタン）と−ボタン（戻りボタン）として使われることが多く、操作も似ていることから、ボタンを兼用した方がユーザも使いやすく、操作性および利便性が向上する。
【０１８９】
また、本発明によれば、前記操作手段を短押しすると押下した間だけ発光し、長く連続押下すると常時点灯に切り替わる。従って、前記操作手段を短押しするか長押しするかによって、照明手段の発光状態を使い分けることができ、操作性および利便性が向上する。また、短押しと長押しで制御を切り替えることにより、操作ボタン数を増やさずに複数の制御が可能になり、携帯電話機の大型化、部品点数の増加によるコストの増大を抑制することが可能になる。
【０１９０】
また、本発明によれば、前記操作手段を短押しすると発光色が切り替わり、長押しすると常時点灯に切り替わる。従って、前記操作手段を短押しするか長押しするかによって、照明手段の発光色と照明手段のＯＮ／ＯＦＦ切替を使い分けることができ、操作性および利便性が向上する。また、短押しと長押しで制御を切り替えることにより、操作ボタン数を増やさずに複数の制御が可能になり、携帯電話機の大型化、部品点数の増加によるコストの増大を抑制することが可能になる。
【０１９１】
また、本発明によれば、前記操作手段は前記照明手段の光量調整を行う光量調整ボタンであることから、光量調整ボタンを操作することにより、光量を調整することができる。従って、携帯電話機を開かなくても折り畳んだ状態で照明手段の光量調整を行うことができ、操作性および利便性が向上する。
【０１９２】
また、本発明によれば、前記操作手段は前記照明手段の発光色を変更する発光色変更ボタンであることから、発光色変更ボタンを操作することにより、発光色を変更することができる。従って、携帯電話機を開かなくても折り畳んだ状態で照明手段の発光色変更を行うことができ、操作性および利便性が向上する。
【０１９３】
また、本発明によれば、前記第２表示手段に表示された電話着信履歴を前記操作手段によって別の電話着信履歴に切り替えることができる。従って、携帯電話機を開かなくても折り畳んだ状態で第２表示手段に表示される着信履歴を切り替えることができ、操作性および利便性が向上する。
【０１９４】
また、本発明によれば、前記第２表示手段に表示された受信メール内容を前記操作手段によって別の受信メール内容に切り替えることができる。従って、携帯電話機を開かなくても折り畳んだ状態で第２表示手段に表示される受信メール内容を切り替えることができ、操作性および利便性が向上する。
【０１９５】
また、本発明によれば、第２表示手段は前記テレビジョン信号処理手段で信号処理された映像信号を表示し、前記操作手段はテレビジョン放送波の受信周波数を変更するチャンネル切り替えボタンである。従って、操作手段を操作することにより、受信チャンネルを切り替えることができる。
【０１９６】
これによって、第２表示手段でテレビを視聴する場合においても、チャンネル変更の際に携帯電話機を開いて数字ボタン等で操作しなくても折り畳んだ状態でチャンネル変更が可能となることから、操作性および利便性が向上する。
【０１９７】
また、本発明によれば、前記操作手段は前記音声データ記憶手段内の音声データを再生操作できる。従って、携帯電話機を開かなくても折り畳んだ状態で音声データを再生操作することができる。
【０１９８】
これによって、携帯電話機で音声データを聞く場合において、再生曲変更の際に携帯電話機を開いて数字ボタン等で操作しなくても折り畳んだ状態で再生曲変更が可能となることから、操作性および利便性が向上する。
【０１９９】
また、本発明によれば、前記操作手段はスピーカの音量を調整する音量ボタンであることから、操作手段によってスピーカの音量を調整することができる。従って、携帯電話機を開かなくても折り畳んだ状態で音量調整を操作することができる。
【０２００】
これによって、携帯電話機で音声を聞く場合において、音量変更の際に携帯電話機を開いて数字ボタン等で操作しなくても折り畳んだ状態で音量変更が可能となることから、操作性および利便性が向上する。
【０２０１】
また、本発明によれば、携帯電話機が折り畳まれた時に外側に第２表示手段と調整項目選択手段と調整量選択手段がある。これによって、ユーザは折り畳んだ状態であっても撮影機能の切り替えや第２表示手段の表示切り替え等の各種項目の切り替えと各種調整量の変更等を行うことができる。
【０２０２】
このように、ユーザは携帯電話機を開かなくても調整項目選択手段を操作することにより、ライト光量や明るさ調整等の調整項目を選択し、調整量選択手段を操作して調整量を変更することが可能になる。調整項目の選択と調整量の選択を独立することにより、ユーザにとって操作がしやすくなる。また、閉じた状態で調整項目の選択と調整量の変更が可能になり、携帯電話機を開く必要がなくなり、操作性および利便性が向上する。
【０２０３】
また、本発明によれば、前記第２表示手段は、前記撮像手段で撮影した撮影画像を表示することから、携帯電話機で撮影した画像を第２表示手段で確認しながら各種調整を行うことができる。これによって、ユーザは折り畳んだ状態であっても、撮像手段で撮影した撮影画像に関して、各種調整項目の切り替えと調整量の変更や加工等を行うことができ、操作性および利便性が向上する。
【０２０４】
また、本発明によれば、第１の筐体の第１表示手段の背面に、受信したメールの内容を表示可能な第２表示手段と、撮像手段と、前記第２表示手段に表示されたメール内容を上下または左右にスクロール可能なスクロールボタンと、他のメール内容に表示を切り替える切り替えボタンを備える。これによって、ユーザは折り畳んだ状態であっても、第２表示手段にメールを表示させ、メールのスクロールと他のメールへの切り替えが可能になる。
【０２０５】
これにより、メール本文を見る場合において、わざわざ携帯電話機を開いて第１表示部でメールを読み、数字ボタン等で読むメールを切り替えなくても、折り畳んだままの状態で、メールの確認／表示が可能であり、操作性および利便性が向上する。
【０２０６】
また、本発明によれば、アンテナとテレビジョンチューナとテレビジョン信号処理手段と、第１の筐体の第１表示手段の背面に、テレビジョン画像を表示可能な第２表示手段と、撮像手段と、前記第２表示手段に表示するテレビジョン信号波を変更するチャンネルボタンと、音量を調整する音量ボタンを備える。従って、ユーザは折り畳んだ状態であっても、第２表示手段にてテレビジョン画像を表示し、チャンネルボタンと音量ボタンを用いて、チャンネルならびに音量の変更を操作することができ、操作性および利便性が向上する。
【０２０７】
また、本発明によれば、音声データを記憶する音声データ記憶手段と音声データを再生する再生手段を備え、第１の筐体の第１表示手段の背面に、第２表示手段と、撮像手段と、前記音声データの再生操作を行う再生操作手段と、音量を調整する音量ボタンを備える。従って、ユーザは折り畳んだ状態であっても、再生操作手段と音量調整手段を操作することにより、音声データの再生／記録を操作することができ、操作性および利便性が向上する。
【０２０８】
また、本発明によれば、前記第２表示手段は、ユーザによって変更される調整量を視覚的に表示する。従って、ユーザはわざわざ携帯電話機を開かなくても折り畳んだ状態で、第２表示手段にて表示される調整量を視覚的に確認しながら、各種の調整を行うことができる。このように、調整量を視覚的に表示する第２表示手段と操作手段を同一面に配置することにより、ユーザは携帯電話機を折り畳んだ状態で調整量を見ながら操作することができ、操作性および利便性が向上する。
【０２０９】
また、本発明によれば、カメラ撮影モードにおいて、前記複数の操作手段を用いて撮影条件を調整する調整モードを設ける。従って、ユーザは折り畳んだ状態で、カメラ撮影モードにおいて、第２表示部を見ながら、明るさ調整やライト光量／色の調整を操作することが可能になり、調整後の良好な状態で撮影を行うことができる。また、携帯電話機を折り畳んだままで操作できることから、操作性および利便性が向上する。
【０２１０】
また、本発明によれば、カメラ撮影モードにおいて、前記複数の操作手段を用いて撮影した画像を保存する前に画像の加工を行う加工モードを設ける。従って、ユーザは折り畳んだ状態で、カメラ撮影モードにおいて、第２表示部を見ながら、前記複数の操作手段を用いて撮影した画像を保存する前に画像の加工を行うことができる。
【０２１１】
このように、カメラ撮影を行い、撮影した画像を保存する前に第２表示部を見ながら画像の加工を行うことにより、ユーザが画像調整や加工を行った後の画像を保存することができる。従って、ユーザが撮影直後に撮影画像の調整／加工を望む際に、一旦保存された画像を再度読み出して画像調整／加工をする手間が無くなり、操作性および利便性が向上する。
【０２１２】
また、本発明によれば、前記複数の操作手段は、第１決定ボタンと第２決定ボタンおよび第３決定ボタンからなる。これによって、ユーザは折り畳んだ状態であっても撮影機能の切り替えや第２表示手段の表示切り替え等の複数の切り替えを行うことができる。
【０２１３】
このように、ユーザは携帯電話機を開かなくても第１〜第３決定ボタンを押下することにより、カメラ起動、ライト点灯やピクト表示切替等の複数の機能切り替えが可能になる。従って、閉じた状態で切り替えできる機能については、携帯電話機を開く必要がなくなり、操作性および利便性が向上する。
【０２１４】
また、本発明によれば、前記複数の操作手段は、決定ボタンと右ボタンおよび左ボタンからなる。これによって、ユーザは折り畳んだ状態であっても撮影条件の調整や第２表示手段の表示設定において、右ボタンと左ボタンを用いて調整量の変更を行うことができる。
【０２１５】
このように、ユーザは携帯電話機を開かなくても決定ボタンと右ボタンおよび左ボタンを押下することにより、調整や設定等の調整量の変更が可能になる。従って、閉じた状態で調整量の変更できる機能については、携帯電話機を開く必要がなくなり、操作性および利便性が向上する。
【０２１６】
また、本発明によれば、前記複数の操作手段は、第１決定ボタンと第２決定ボタンと第３決定ボタンと第４の決定ボタンおよび第５の決定ボタンからなる。これによって、ユーザは折り畳んだ状態であっても撮影機能の切り替えや第２表示手段の表示切り替え等の複数の切り替えを行うことができる。
【０２１７】
このように、ユーザは携帯電話機を開かなくても第１〜第５決定ボタンを押下することにより、メニューモード、キーロック、ライトＯＮ／ＯＦＦ、カメラ起動、ライト点灯やピクト表示切替等の複数の機能切り替えが可能になる。従って、閉じた状態で切り替えできる機能については、携帯電話機を開く必要がなくなり、操作性および利便性が向上する。
【０２１８】
また、本発明によれば、前記複数の操作手段は、決定ボタンと上ボタンと下ボタンと左ボタンおよび右ボタンからなる。これによって、ユーザは折り畳んだ状態であっても撮影条件の調整や第２表示手段の表示設定において、上ボタンと下ボタンとを用いて調整項目の選択を行い、右ボタンと左ボタンを用いて調整量の変更を行い、決定ボタンで確定することができる。
【０２１９】
このように、ユーザは携帯電話機を開かなくても上ボタンと下ボタンと右ボタンおよび左ボタンおよび決定ボタンを押下することにより、調整や設定等の項目を選択して調整量の変更を行い確定することが可能になる。従って、閉じた状態で調整量の変更できる機能については、携帯電話機を開く必要がなくなり、操作性および利便性が向上する。また、設定項目選択用のボタンと調整量変更用のボタンが独立していることから、ユーザの設定操作が容易になる。
【０２２０】
また、本発明によれば、撮像手段と各ボタンの間に第２表示手段が配置されることから撮像手段と各ボタンの間に一定の距離が確保できる。これによって、ユーザが撮影しようとする際にボタンを押すユーザの手が撮像手段に被さることを防ぐことができる。従って、ズーム操作等の撮影に関する各種設定時にユーザが撮像手段の位置を気にせずに各ボタンの操作ができることから、操作性および利便性が向上すると同時に、ユーザの指が撮像手段に触れて、レンズ等の部品に傷やゴミが付くことを防ぐことができ、結果として携帯電話機の耐久性の向上ならびに性能維持が図られる。
【０２２１】
また、本発明によれば、折り畳まれた状態で前記第１の筐体と対面する前記第２の筐体の面に複数の数字ボタンおよび操作ボタンを備え、第１の筐体の第１表示手段の背面に第２表示手段と撮像手段と複数の操作手段を備える。従って、携帯電話機を折り畳んだ時に、複数の数字ボタンおよび操作ボタンと複数の操作手段は、同じ方向を向くことになる。
【０２２２】
このように、ユーザは携帯電話機本体を折り畳んで操作した後、そのまま開いた状態でもユーザ側に本体側のボタン面が向くことになり、携帯電話機を持ち替えずにスムーズに操作することができる。
【図面の簡単な説明】
【０２２３】
【図１】本実施の形態に係る携帯電話機の外観斜視図である。
【図２】本実施の形態に係る携帯電話機の背面側からの外観斜視図である。
【図３】本実施の形態に係る携帯電話機の折り畳んだ状態での外観斜視図である。
【図４】本実施の形態に係る携帯電話機の折り畳んだ状態での外観側面図である。
【図５】本実施の形態に係る携帯電話機の利用方法を示す説明図である。
【図６】本実施の形態に係る携帯電話機の断面図である。
【図７】本実施の形態に係る携帯電話機の他の例を示す断面図である。
【図８】本実施の形態に係る携帯電話機の構成を示すブロック図である。
【図９】本実施の形態に係る携帯電話機のボタン操作割り当て表である。
【図１０】本実施の形態に係る携帯電話機のピクト表示画面である。
【図１１】本実施の形態に係る携帯電話機のライト光量調整画面である。
【図１２】本実施の形態に係る携帯電話機のライト光量調整手順を示すフローチャートである。
【図１３】本実施の形態に係る携帯電話機のメール確認手順を示すフローチャートである。
【図１４】本実施の形態に係る他の携帯電話機の折り畳んだ状態での外観正面図である。
【図１５】本実施の形態に係る他の携帯電話機のボタン操作割り当て表である。
【図１６】本実施の形態に係るさらなる他の携帯電話機のボタン操作割り当て表である。
【図１７】従来の携帯電話機の外観斜視図である。
【図１８】従来の携帯電話機の背面側からの外観斜視図である。
【図１９】従来の携帯電話機の折り畳んだ状態での外観斜視図である。
【図２０】従来の携帯電話機の折り畳んだ状態での外観側面図である。
【図２１】従来の携帯電話機の利用方法を示す説明図である。
【符号の説明】
【０２２４】
１  携帯電話機
２  第１の筐体
３  第２の筐体
４  ヒンジ
５  第１表示部
１０  第１のシャッタボタン
２０  第２表示部
２１  カメラ部
２２  ライト部
２３  第２のシャッタボタン
２４  第２の操作ボタン群
２８  スピーカ
４０  制御部
４０Ａ  音声再生部
４０Ｂ  照明光量調整部
４０Ｃ  発光色変更部
４７  第１の操作ボタン群
４９  開閉検出部
５２  第３メモリ
７２  マルチボタン。
【図１】
2006295960.tif 000003
【図２】
2006295960.tif 000004
【図３】
2006295960.tif 000005
【図４】
2006295960.tif 000006
【図５】
2006295960.tif 000007
【図６】
2006295960.tif 000008
【図７】
2006295960.tif 000009
【図８】
2006295960.tif 000010
【図９】
2006295960.tif 000011
【図１０】
2006295960.tif 000012
【図１１】
2006295960.tif 000013
【図１２】
2006295960.tif 000014
【図１３】
2006295960.tif 000015
【図１４】
2006295960.tif 000016
【図１５】
2006295960.tif 000017
【図１６】
2006295960.tif 000018
【図１７】
2006295960.tif 000019
【図１８】
2006295960.tif 000020
【図１９】
2006295960.tif 000021
【図２０】
2006295960.tif 000022
【図２１】
2006295960.tif 000023